(57)【特許請求の範囲】
【請求項１】
ユーザ機器（ＵＥ）によるワイヤレス通信のための方法であって、
支援モードに関連付けられた１つまたは複数のトリガ係数を識別することと、ここにおいて、第２の無線アクセス技術（ＲＡＴ）に関連付けられた第２の無線機が、第１のＲＡＴに関連付けられた第１の無線機を支援するために使用される、
前記１つまたは複数のトリガ係数に少なくとも部分的に基づいて、前記第１の無線機の第１のクロックと前記第２の無線機の第２のクロックとの間の周波数オフセットを測定することと、前記第１のクロックが第１の発振器水晶に関連付けられ、前記第２のクロックが第２の発振器水晶に関連付けられる、
前記支援モードにある前記第１の無線機および前記第２の無線機による使用のために前記周波数オフセットを記憶することとを備え、
前記第１の無線機および前記第２の無線機の前記支援モードを開始する前に、前記周波数オフセットを前記測定することがトリガされる、方法。
【請求項２】
前記１つまたは複数のトリガ係数に少なくとも部分的に基づいて、前記第１の無線機および前記第２の無線機の前記支援モードを開始することをさらに備える、請求項１に記載の方法。
【請求項３】
前記支援モードを開始することが、
前記第１の無線機から前記第２の無線機に、支援についての要求を送ることを備える、請求項２に記載の方法。
【請求項４】
前記第１のＲＡＴがワイヤレスワイドエリアネットワーク（ＷＷＡＮ）技術を備え、前記第２のＲＡＴがワイヤレスローカルエリアネットワーク（ＷＬＡＮ）技術を備える、請求項１に記載の方法。
【請求項５】
前記１つまたは複数のトリガ係数が、前記第１の無線機または前記第２の無線機のためのスリープサイクルの長さを備え、前記方法が、
前記スリープサイクルの前記長さに少なくとも部分的に基づいて、前記周波数オフセットの前記測定を周期的にトリガすることをさらに備える、請求項１に記載の方法。
【請求項６】
前記１つまたは複数のトリガ係数は、前記第１の無線機が前記第２の無線機とともに前記支援モードを開始するための予想される時間を備え、前記方法が、
前記予想される時間より前に、前記周波数オフセットの前記測定をトリガすることをさらに備える、請求項１に記載の方法。
【請求項７】
キャリアアグリゲーションモードの１つまたは複数のターゲット周波数のための信号強度測定値に少なくとも部分的に基づいて、前記予想される時間を決定することをさらに備える、請求項６に記載の方法。
【請求項８】
複数アクティブ加入者識別モジュール（ＳＩＭ）モードにおけるＳＩＭのための受信されたページに少なくとも部分的に基づいて、前記予想される時間を決定することをさらに備える、請求項６に記載の方法。
【請求項９】
サービングセル測定値に少なくとも部分的に基づいて、前記予想される時間を決定することをさらに備える、請求項６に記載の方法。
【請求項１０】
前記サービングセル測定値は、前記ＵＥが前記サービングセルから遠ざかっていることを示す、請求項９に記載の方法。
【請求項１１】
前に記憶された周波数オフセットに少なくとも部分的に基づいて、前記第１のクロックと前記第２のクロックとの間の前記周波数オフセットを測定することをさらに備える、請求項１に記載の方法。
【請求項１２】
前記周波数オフセットを測定することが、
前記第１の無線機または前記第２の無線機のスリープ持続時間を決定することと、
前記スリープ持続時間に少なくとも部分的に基づいて、前記前に記憶された周波数オフセットを調整することとをさらに備える、請求項１１に記載の方法。
【請求項１３】
前記第１のクロックのラッチング間隔に少なくとも部分的に基づいて、前記第１のクロックと前記第２のクロックとの間の前記周波数オフセットを測定することをさらに備える、請求項１に記載の方法。
【請求項１４】
前記第１のクロックの前記ラッチング間隔中に生じる前記第２のクロックのサイクルの数をカウントすることをさらに備える、請求項１３に記載の方法。
【請求項１５】
前記第２の無線機のアクティブ時間に少なくとも部分的に基づいて、前記第１のクロックの前記ラッチング間隔を調整することをさらに備える、請求項１３に記載の方法。
【請求項１６】
前記第２の無線機の低アクティブ時間に少なくとも部分的に基づいて、前記第１のクロックの前記ラッチング間隔を減少させることをさらに備える、請求項１５に記載の方法。
【請求項１７】
前記第２の無線機の高アクティブ時間に少なくとも部分的に基づいて、前記第１のクロックの前記ラッチング間隔を増加させることをさらに備える、請求項１５に記載の方法。
【請求項１８】
前記第１の発振器水晶の第１の周波数誤差を測定することと、
前記第２の発振器水晶の第２の周波数誤差を測定することと、
前記第１の周波数誤差および前記第２の周波数誤差に少なくとも部分的に基づいて、初期周波数オフセットを決定することと、
前記初期周波数オフセットを記憶することと、ここにおいて、前記第１のクロックと前記第２のクロックとの間の前記周波数オフセットが、前記記憶された初期周波数オフセットに少なくとも部分的に基づく、をさらに備える、請求項１に記載の方法。
【請求項１９】
一定の温度で制御された環境において、前記第１の発振器水晶の前記第１の周波数誤差および前記第２の発振器水晶の前記第２の周波数誤差を測定することをさらに備える、請求項１８に記載の方法。
【請求項２０】
前記支援モードにある前記第２の無線機によってサンプルを収集することと、
前記周波数オフセットに少なくとも部分的に基づいて、前記収集されたサンプルを調整することとをさらに備える、請求項１に記載の方法。
【請求項２１】
ワイヤレス通信のための装置であって、
支援モードに関連付けられた１つまたは複数のトリガ係数を識別するための手段と、ここにおいて、第２の無線アクセス技術（ＲＡＴ）に関連付けられた第２の無線機が、第１のＲＡＴに関連付けられた第１の無線機を支援するために使用される、
前記１つまたは複数のトリガ係数に少なくとも部分的に基づいて、前記第１の無線機の第１のクロックと前記第２の無線機の第２のクロックとの間の周波数オフセットを測定するための手段と、前記第１のクロックが第１の発振器水晶に関連付けられ、前記第２のクロックが第２の発振器水晶に関連付けられる、
前記支援モードにある前記第１の無線機および前記第２の無線機による使用のために前記周波数オフセットを記憶するための手段とを備え、
前記第１の無線機および前記第２の無線機の前記支援モードを開始する前に、前記周波数オフセットを前記測定することがトリガされる、装置。
【請求項２２】
前記１つまたは複数のトリガ係数は、前記第１の無線機が前記第２の無線機とともに前記支援モードを開始するための予想される時間を備え、前記装置が、
前記予想される時間より前に、前記周波数オフセットの前記測定をトリガするための手段をさらに備える、請求項２１に記載の装置。
【請求項２３】
前に記憶された周波数オフセットに少なくとも部分的に基づいて、前記第１のクロックと前記第２のクロックとの間の前記周波数オフセットを測定するための手段をさらに備える、請求項２１に記載の装置。
【請求項２４】
前記周波数オフセットを測定するための前記手段が、
前記第１の無線機または前記第２の無線機のスリープ持続時間を決定するための手段と、
前記スリープ持続時間に少なくとも部分的に基づいて、前記前に記憶された周波数オフセットを調整するための手段とをさらに備える、請求項２３に記載の装置。
【請求項２５】
前記第１のクロックのラッチング間隔に少なくとも部分的に基づいて、前記第１のクロックと前記第２のクロックとの間の前記周波数オフセットを測定するための手段をさらに備える、請求項２１に記載の装置。
【請求項２６】
前記第２の無線機のアクティブ時間に少なくとも部分的に基づいて、前記第１のクロックの前記ラッチング間隔を調整するための手段をさらに備える、請求項２５に記載の装置。
【請求項２７】
ワイヤレス通信のための装置であって、
プロセッサと、
前記プロセッサと電子通信しているメモリと、
前記メモリに記憶された命令とを備え、前記命令は、
支援モードに関連付けられた１つまたは複数のトリガ係数を識別することと、ここにおいて、第２の無線アクセス技術（ＲＡＴ）に関連付けられた第２の無線機が、第１のＲＡＴに関連付けられた第１の無線機を支援するために使用される、
前記１つまたは複数のトリガ係数に少なくとも部分的に基づいて、前記第１の無線機の第１のクロックと前記第２の無線機の第２のクロックとの間の周波数オフセットを測定することと、前記第１のクロックが第１の発振器水晶に関連付けられ、前記第２のクロックが第２の発振器水晶に関連付けられる、
前記支援モードにある前記第１の無線機および前記第２の無線機による使用のために前記周波数オフセットを記憶することとを行うために前記プロセッサによって実行可能であり、
前記第１の無線機および前記第２の無線機の前記支援モードを開始する前に、前記周波数オフセットを前記測定することがトリガされる、装置。
【請求項２８】
前記１つまたは複数のトリガ係数は、前記第１の無線機が前記第２の無線機とともに前記支援モードを開始するための予想される時間を備え、前記命令が、
前記予想される時間より前に、前記周波数オフセットの前記測定をトリガすることを行うために前記プロセッサによってさらに実行可能である、請求項２７に記載の装置。
【請求項２９】
前記命令が、
前に記憶された周波数オフセットに少なくとも部分的に基づいて、前記第１のクロックと前記第２のクロックとの間の前記周波数オフセットを測定することを行うために前記プロセッサによってさらに実行可能である、請求項２７に記載の装置。
【請求項３０】
ワイヤレス通信のためのコンピュータ実行可能コードを記憶する非一時的コンピュータ可読媒体であって、前記コードは、
支援モードに関連付けられた１つまたは複数のトリガ係数を識別することと、ここにおいて、第２の無線アクセス技術（ＲＡＴ）に関連付けられた第２の無線機が、第１のＲＡＴに関連付けられた第１の無線機を支援するために使用される、
前記１つまたは複数のトリガ係数に少なくとも部分的に基づいて、前記第１の無線機の第１のクロックと前記第２の無線機の第２のクロックとの間の周波数オフセットを測定することと、前記第１のクロックが第１の発振器水晶に関連付けられ、前記第２のクロックが第２の発振器水晶に関連付けられる、
前記支援モードにある前記第１の無線機および前記第２の無線機による使用のために前記周波数オフセットを記憶することとを行うためにプロセッサによって実行可能であり、
前記第１の無線機および前記第２の無線機の前記支援モードを開始する前に、前記周波数オフセットを前記測定することがトリガされる、非一時的コンピュータ可読媒体。
【発明の詳細な説明】
【技術分野】
【０００１】
相互参照
[0001]  本特許出願は、本出願の譲受人に譲渡され、２０１５年１月２０日に出願された「Adaptive Frequency Correction in Multiple Radio Devices」と題する、Ｃｈａｋｒａｂｏｒｔｙらによる米国特許出願第１４／６００，４８１号の優先権を主張する。
【０００２】
[0002]  本開示は、例えば、ワイヤレス通信システムに関し、より詳細には、単一のデバイス中のワイヤレスワイドエリアネットワーク（ＷＷＡＮ）構成要素およびワイヤレスローカルエリアネットワーク（ＷＬＡＮ）構成要素の協働使用に関する。
【背景技術】
【０００３】
[0003]  ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（例えば、時間、周波数、空間および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]  例として、ワイヤレス多元接続通信システムは、場合によってはユーザ機器（ＵＥ）、ワイヤレス端末、または局（ＳＴＡ）として知られる、複数の通信デバイスのための通信を各々が同時にサポートする、いくつかの基地局またはアクセスポイントを含み得る。基地局またはアクセスポイントは、（例えば、基地局／アクセスポイントからＵＥ／ＳＴＡへの送信のために）ダウンリンクチャネル、および（例えば、ＵＥ／ＳＴＡから基地局／アクセスポイントへの送信のために）アップリンクチャネル上で、ＵＥまたはＳＴＡと通信し得る。ＵＥと基地局との間の通信はＷＷＡＮを使用し得、ＳＴＡとアクセスポイントとの間の通信はＷＬＡＮを使用し得る。Ｗｉ−Ｆｉ（登録商標）は、ＳＴＡによってサポートされる一般的なＷＬＡＮ技術の一例である。以下では、ＷＷＡＮとＷＬＡＮの両方を使用して通信する通信デバイスは、一般的にＵＥと呼ばれることがある。
【０００５】
[0005]  ＵＥは、一般に、異なるＷＷＡＮ無線機およびＷＬＡＮ無線機を含む。ＷＷＡＮ無線サブシステムおよびＷＬＡＮ無線サブシステムは、異なる発振器によって生成された基準クロックによって駆動され得る。各基準クロックは、異なる周波数および周波数誤差を有し得る。従って、ＵＥアプリケーションがＷＷＡＮリソースとＷＬＡＮリソースの両方を共有するとき、異なる無線サブシステムの異なる周波数および周波数誤差はさらなる誤差を生じ得る。ＷＷＡＮサブシステムとＷＬＡＮサブシステムとの異なる基準クロック間の周波数オフセットを推定し、補正するための従来の方法は複雑であり、システムにレイテンシを加え得る。
【発明の概要】
【０００６】
[0006]  ＵＥは、一般に、異なる無線アクセス技術（ＲＡＴ）のために使用され得る、複数の無線機を含み得る。例えば、ＵＥは、ＷＷＡＮ無線機とＷＬＡＮ無線機とを含み得る。複数の無線機は、ＵＥが支援モードを利用するときにリソースを共有し得、それは、例えば、ＷＬＡＮ無線機がＷＷＡＮ無線機を支援するために使用されるときであり得る。従って、および例えば、ＷＬＡＮ無線機は、周波数間探索および測定動作中にＷＷＡＮ無線機を支援するために使用され得る。同様に、ＷＬＡＮ無線機は、ＵＥが、複数の加入者識別モジュール（ＳＩＭ：Subscriber Identity Module）を含み、デュアルＳＩＭ／デュアルスタンバイ（ＤＳＤＳ：dual SIM/dual standby）モードまたはデュアルＳＩＭ／デュアルアクティブ（ＤＳＤＡ：dual SIM/dual active）モードのいずれかで動作する場合、ＷＷＡＮ無線機を支援し得る。ＷＬＡＮ無線機はまた、ダウンリンク上での、またはダウンリンクとアップリンクの両方上でのキャリアアグリゲーション動作中にＷＷＡＮ無線機を支援し得る。支援モードにあるＵＥの動作中に、無線機の各々は、別個の発振器水晶（oscillator crystal）に関連付けられた別個の基準クロックを有し得る。ＵＥは、支援モードに関連付けられた１つまたは複数のトリガ係数を識別し得る。ＵＥは、次いで、１つまたは複数のトリガ係数に少なくとも部分的に基づいて、第１の無線機の第１のクロックと第２の無線機の第２のクロックとの間の周波数オフセットを測定し得る。周波数オフセットは、次いで、ＵＥが支援モードにあるとき、第１の無線機および第２の無線機による使用のために記憶され得る。
【０００７】
[0007]  第１の例示的な実施形態では、ＵＥによるワイヤレス通信のための方法が開示される。本方法は、支援モードに関連付けられた１つまたは複数のトリガ係数を識別することを含み得、ここにおいて、第２のＲＡＴに関連付けられた第２の無線機が、第１のＲＡＴに関連付けられた第１の無線機を支援するために使用される。本方法はまた、１つまたは複数のトリガ係数に少なくとも部分的に基づいて、第１の無線機の第１のクロックと第２の無線機の第２のクロックとの間の周波数オフセットを測定することを含み得、第１のクロックは第１の発振器水晶に関連付けられ、第２のクロックは第２の発振器水晶に関連付けられる。本方法は、支援モードにある第１の無線機および第２の無線機による使用のために周波数オフセットを記憶することをさらに含み得る。
【０００８】
[0008]  一態様では、本方法は、１つまたは複数のトリガ係数に少なくとも部分的に基づいて、第１の無線機および第２の無線機の支援モードを開始することをさらに含み得る。支援モードを開始することは、第１の無線機から第２の無線機に、支援についての要求を送ることを含み得る。第１のＲＡＴはＷＷＡＮ技術を含み得、第２のＲＡＴはＷＬＡＮ技術を含み得る。１つまたは複数のトリガ係数は、第１の無線機または第２の無線機のためのスリープサイクルの長さを含み得、本方法は、スリープサイクルの長さに少なくとも部分的に基づいて、周波数オフセットの測定を周期的にトリガすることをさらに含み得る。
【０００９】
[0009]  別の態様では、１つまたは複数のトリガ係数は、第１の無線機が第２の無線機とともに支援モードを開始するための予想される時間を含み得、本方法は、予想される時間より前に、周波数オフセットの測定をトリガすることをさらに含み得る。本方法はまた、キャリアアグリゲーションモードの１つまたは複数のターゲット周波数のための信号強度測定値に少なくとも部分的に基づいて、予想される時間を決定することを含み得る。本方法はまた、複数アクティブＳＩＭモードにおけるＳＩＭのための受信されたページに少なくとも部分的に基づいて、予想される時間を決定することを含み得る。代替または追加として、本方法は、サービングセル測定値に少なくとも部分的に基づいて、予想される時間を決定することを含み得る。サービングセル測定値は、ＵＥがサービングセルから遠ざかっていることを示し得る。
【００１０】
[0010]  別の態様では、本方法は、前に記憶された周波数オフセットに少なくとも部分的に基づいて、第１のクロックと第２のクロックとの間の周波数オフセットを測定することをさらに含み得る。周波数オフセットを測定することは、第１の無線機または第２の無線機のスリープ持続時間を決定することと、スリープ持続時間に少なくとも部分的に基づいて、前に記憶された周波数オフセットを調整することとをさらに含み得る。
【００１１】
[0011]  また別の態様では、本方法は、第１のクロックのラッチング間隔に少なくとも部分的に基づいて、第１のクロックと第２のクロックとの間の周波数オフセットを測定することをさらに含み得る。本方法は、第１のクロックのラッチング間隔中に生じる第２のクロックのサイクルの数をカウントすることをさらに含み得る。第１のクロックのラッチング間隔は、第２の無線機のアクティブ時間に少なくとも部分的に基づいて調整され得る。調整は、第２の無線機の低アクティブ時間に少なくとも部分的に基づいて、第１のクロックのラッチング間隔を減少させること、または第２の無線機の高アクティブ時間に少なくとも部分的に基づいて、第１のクロックのラッチング間隔を増加させることを含み得る。
【００１２】
[0012]  さらに別の態様では、本方法は、第１の発振器水晶の第１の周波数誤差を測定することと、第２の発振器水晶の第２の周波数誤差を測定することと、第１の周波数誤差および第２の周波数誤差に少なくとも部分的に基づいて、初期周波数オフセットを決定することと、初期周波数オフセットを記憶することとをさらに含み得る。第１のクロックと第２のクロックとの間の周波数オフセットは、記憶された初期周波数オフセットに少なくとも部分的に基づき得る。本方法は、一定の温度で制御された環境において、第１の発振器水晶の第１の周波数誤差および第２の発振器水晶の第２の周波数誤差を測定することをさらに含み得る。本方法は、支援モードにある第２の無線機によってサンプルを収集することと、周波数オフセットに少なくとも部分的に基づいて、収集されたサンプルを調整することとを含み得る。
【００１３】
[0013]  第２の例示的な実施形態では、ワイヤレス通信のための装置が開示される。本装置は、支援モードに関連付けられた１つまたは複数のトリガ係数を識別するための手段を含み得、ここにおいて、第２のＲＡＴに関連付けられた第２の無線機が、第１のＲＡＴに関連付けられた第１の無線機を支援するために使用される。本装置はまた、１つまたは複数のトリガ係数に少なくとも部分的に基づいて、第１の無線機の第１のクロックと第２の無線機の第２のクロックとの間の周波数オフセットを測定するための手段を含み得、第１のクロックは第１の発振器水晶に関連付けられ、第２のクロックは第２の発振器水晶に関連付けられる。本装置は、支援モードにある第１の無線機および第２の無線機による使用のために周波数オフセットを記憶するための手段をさらに含み得る。１つまたは複数のトリガ係数は、第１の無線機が第２の無線機とともに支援モードを開始するための予想される時間を含み得、本装置は、予想される時間より前に、周波数オフセットの測定をトリガするための手段をさらに含み得る。
【００１４】
[0014]  一態様では、本装置は、前に記憶された周波数オフセットに少なくとも部分的に基づいて、第１のクロックと第２のクロックとの間の周波数オフセットを測定するための手段をさらに含み得る。周波数オフセットを測定するための手段は、第１の無線機または第２の無線機のスリープ持続時間を決定するための手段と、スリープ持続時間に少なくとも部分的に基づいて、前に記憶された周波数オフセットを調整するための手段とをさらに含み得る。
【００１５】
[0015]  別の態様では、本装置は、第１のクロックのラッチング間隔に少なくとも部分的に基づいて、第１のクロックと第２のクロックとの間の周波数オフセットを測定するための手段をさらに含み得る。本装置は、第２の無線機のアクティブ時間に少なくとも部分的に基づいて、第１のクロックのラッチング間隔を調整するための手段をさらに含み得る。
【００１６】
[0016]  第３の例示的な実施形態では、ワイヤレス通信のための装置が開示される。本装置は、プロセッサと、プロセッサと電子通信しているメモリと、メモリに記憶された命令とを含み得る。命令は、支援モードに関連付けられた１つまたは複数のトリガ係数を識別することを行うためにプロセッサによって実行可能であり得、ここにおいて、第２のＲＡＴに関連付けられた第２の無線機が、第１のＲＡＴに関連付けられた第１の無線機を支援するために使用される。命令はまた、１つまたは複数のトリガ係数に少なくとも部分的に基づいて、第１の無線機の第１のクロックと第２の無線機の第２のクロックとの間の周波数オフセットを測定することを行うためにプロセッサによって実行可能であり得、第１のクロックは第１の発振器水晶に関連付けられ、第２のクロックは第２の発振器水晶に関連付けられる。命令はまた、支援モードにある第１の無線機および第２の無線機による使用のために周波数オフセットを記憶することを行うためにプロセッサによって実行可能であり得る。
【００１７】
[0017]  一態様では、１つまたは複数のトリガ係数は、第１の無線機が第２の無線機とともに支援モードを開始するための予想される時間を含み得、命令は、予想される時間より前に、周波数オフセットの測定をトリガすることを行うためにプロセッサによってさらに実行可能であり得る。命令はまた、前に記憶された周波数オフセットに少なくとも部分的に基づいて、第１のクロックと第２のクロックとの間の周波数オフセットを測定することを行うためにプロセッサによってさらに実行可能であり得る。
【００１８】
[0018]  また別の例示的な実施形態では、ワイヤレス通信のためのコンピュータ実行可能コードを記憶する非一時的コンピュータ可読媒体が開示される。コードは、支援モードに関連付けられた１つまたは複数のトリガ係数を識別することを行うためにプロセッサによって実行可能であり得、ここにおいて、第２のＲＡＴに関連付けられた第２の無線機が、第１のＲＡＴに関連付けられた第１の無線機を支援するために使用される。コードはまた、１つまたは複数のトリガ係数に少なくとも部分的に基づいて、第１の無線機の第１のクロックと第２の無線機の第２のクロックとの間の周波数オフセットを測定することを行うためにプロセッサによって実行可能であり得、第１のクロックは第１の発振器水晶に関連付けられ、第２のクロックは第２の発振器水晶に関連付けられる。さらに、コードは、支援モードにある第１の無線機および第２の無線機による使用のために周波数オフセットを記憶することおよびを行うためにプロセッサによって実行可能であり得る。
【００１９】
[0019]  上記は、以下の詳細な説明がより良く理解され得るように、本開示による例の特徴および技術的利点についてやや広く概説した。以下で、追加の特徴および利点が説明される。開示される概念および具体例は、本開示の同じ目的を果たすための他の構造を変更または設計するための基礎として容易に利用され得る。そのような等価な構成は、添付の特許請求の範囲から逸脱しない。本明細書で開示される概念の特徴、それらの編成と動作方法の両方は、関連する利点とともに、添付の図に関連して以下の説明を検討するとより良く理解されよう。図の各々は、例示および説明の目的でのみ与えられるものであり、特許請求の範囲の制限の定義として与えられるものではない。
【００２０】
[0020]  本発明の性質および利点のさらなる理解は、以下の図面を参照して実現され得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、説明は、第２の参照ラベルにかかわらず、同じ第１の参照ラベルを有する同様の構成要素のうちのいずれにも適用可能である。
【図面の簡単な説明】
【００２１】
【図１】本開示の様々な態様による、ワイヤレス通信システムの一例を示す図。
【図２】ワイヤレス通信システムの一例を示すシステム図。
【図３】本開示の様々な態様による、ワイヤレス通信において使用するためのＵＥのブロック図。
【図４】本開示の様々な態様による、周波数カウンタ動作のブロック図。
【図５】本開示の様々な態様による、周波数制御サブシステムのブロック図。
【図６】本開示の様々な態様による、ＵＥのためのタイミング図の一例を示す図。
【図７】本開示の様々な態様による、ＵＥのためのタイミング図の別の例を示す図。
【図８】本開示の様々な態様による、ＵＥのためのタイミング図の別の例を示す図。
【図９】本開示の様々な態様による、複数のレジスタを使用する周波数カウンタ動作のブロック図。
【図１０】本開示の様々な態様による、ワイヤレス通信において使用するためのデバイスのブロック図。
【図１１】様々な例による、ワイヤレス通信において使用するためのデバイスのブロック図。
【図１２】様々な例による、ワイヤレス通信において使用するためのシステムを示す図。
【図１３】本開示の様々な態様による、ワイヤレス通信のための方法の一例を示すフローチャート。
【図１４】本開示の様々な態様による、ワイヤレス通信のための方法の別の例を示すフローチャート。
【図１５】本開示の様々な態様による、ワイヤレス通信のための方法のまた別の例を示すフローチャート。
【図１６】本開示の様々な態様による、ワイヤレス通信のための方法のさらに別の例を示すフローチャート。
【詳細な説明】
【００２２】
[0037]  ＷＷＡＮ無線機およびＷＬＡＮ無線機は、支援モード中にリソースを共有し得る。ＷＷＡＮ無線機およびＷＬＡＮ無線機はそれぞれ基準クロックを有し得る。いくつかの状況では、ＷＷＡＮ無線機およびＷＬＡＮ無線機は共通基準クロックを共有し得る。しかしながら、他の状況では、ＷＷＡＮ無線機およびＷＬＡＮ無線機はそれぞれ別個の基準クロックを使用し得る。ＷＷＡＮ無線機とＷＬＡＮ無線機とが異なる基準クロックを使用する状況では、異なる基準クロックの許容差は、ＷＷＡＮ無線機とＷＬＡＮ無線機との間で異なり得る。例えば、ＷＷＡＮ無線機は、ＷＬＡＮ無線機よりも限定的な許容差を有し得る。従って、支援モード中のＷＷＡＮ無線機およびＷＬＡＮ無線機によるリソースの共有は、例えば、ＷＷＡＮ無線機のための許容差内にない基準クロックによってクロック制御される、ＷＷＡＮ通信を生じ得る。
【００２３】
[0038]  この潜在的な課題を解決するために、周波数制御サブシステムは、ＵＥのＷＷＡＮ無線機およびＷＬＡＮ無線機が支援モードにあるとき、ＷＷＡＮ無線機およびＷＬＡＮ無線機における基準クロックの各々の周波数を測定し、周波数差を補正し得る。周波数制御サブシステムの性能は、以下の動作、すなわち、１）（支援モードにアクセスするために）支援についての要求が発行される前に、基準クロックを測定することと、２）ＷＬＡＮスリープサイクル中に周波数オフセットカウンタ状態を記憶し、ＷＬＡＮパワーアップ時に前の周波数オフセットカウンタ状態を復元することと、３）経時的周波数誤差を低減するために周波数測定のために使用されるラッチング間隔を適応させることとのうちの１つまたは複数を使用することによって改善され得る。
【００２４】
[0039]  以下の説明は、例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々なプロシージャまたは構成要素を省略、置換、または追加し得る。例えば、説明される方法は、説明される順序とは異なる順序で行われ得、様々なステップが追加、省略、または組み合わせられ得る。また、いくつかの例に関して説明される特徴は、他の例において組み合わせられ得る。
【００２５】
[0040]  図１に、本開示の様々な態様による、ワイヤレス通信システム１００の一例を示す。ワイヤレス通信システム１００は、基地局１０５と、ＵＥ１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、ネットワークリンク１３２（例えば、Ｓ１など）を通してコアネットワーク１３０とインターフェースし、ＵＥ１１５との通信のための無線構成およびスケジューリングを行い得るか、または基地局コントローラ（図示せず）の制御下で動作し得る。様々な例では、基地局１０５は、ワイヤードまたはワイヤレス通信リンクであり得るバックホールリンク１３４（例えば、Ｘ１など）上で、直接的または間接的のいずれかで（例えば、コアネットワーク１３０を通して）、互いと通信し得る。
【００２６】
[0041]  基地局１０５は、１つまたは複数の基地局アンテナを介してＵＥ１１５とワイヤレス通信し得る。基地局１０５のサイトの各々は、それぞれの地理的カバレージエリア１２０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１２０は、カバレージエリアの一部分のみを構成するセクタに分割され得る（図示せず）。ワイヤレス通信システム１００は、異なるタイプの基地局１０５（例えば、マクロセル基地局および／またはスモールセル基地局）を含み得る。異なる技術のための重複する地理的カバレージエリア１２０があり得る。
【００２７】
[0042]  いくつかの例では、ワイヤレス通信システム１００はロングタームエボリューション（ＬＴＥ（登録商標））またはＬＴＥアドバンスト（ＬＴＥ−Ａ）ネットワークである。ＬＴＥ／ＬＴＥ−Ａネットワークでは、ｅＮＢという用語は、概して、基地局１０５表すために使用され得る。ワイヤレス通信システム１００は、異なるタイプのｅＮＢが様々な地理的領域にカバレージを与える、異種ＬＴＥ／ＬＴＥ−Ａネットワークであり得る。例えば、各ｅＮＢまたは基地局１０５は、マクロセル、スモールセル、および／または他のタイプのセルに通信カバレージを与え得る。「セル」という用語は、コンテキストに応じて、基地局、基地局に関連付けられたキャリアまたはコンポーネントキャリア、あるいはキャリアまたは基地局のカバレージエリア（例えば、セクタなど）を表すために、「第３世代パートナーシッププロジェクト」（３ＧＰＰ（登録商標）：3rd Generation Partnership Project）と称される団体によって使用される用語である。
【００２８】
[0043]  マクロセルは、概して、比較的大きい地理的エリア（例えば、半径数キロメートル）をカバーし、ネットワークプロバイダのサービスに加入しているＵＥによる無制限アクセスを可能にし得る。スモールセルは、マクロセルと比較して、マクロセルと同じまたは異なる（例えば、認可、無認可などの）周波数帯域内で動作し得る、低電力基地局である。スモールセルは、様々な例によれば、ピコセル、フェムトセル、およびマイクロセルを含み得る。ピコセルは、比較的小さい地理的エリアをカバーし得、ネットワークプロバイダのサービスに加入しているＵＥによる無制限アクセスを可能にし得る。また、フェムトセルは、比較的小さい地理的エリア（例えば、自宅）を同じくカバーし得、フェムトセルとの関連を有するＵＥ（例えば、限定加入者グループ（ＣＳＧ：closed subscriber group）中のＵＥ、自宅内のユーザのためのＵＥなど）による制限付きアクセス、無制限アクセス、または制限付きアクセスと無制限アクセスとのハイブリッドを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（例えば、２つ、３つ、４つなどの）セル（例えば、コンポーネントキャリア）をサポートし得る。
【００２９】
[0044]  ワイヤレス通信システム１００は同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明される技法は、同期動作または非同期動作のいずれかのために使用され得る。
【００３０】
[0045]  ＵＥ１１５はワイヤレス通信システム１００全体にわたって分散され、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレス通信デバイス、リモートデバイス、モバイル加入者局、アクセス端末、モバイル端末、ワイヤレス端末、リモート端末、ハンドセット、ユーザエージェント、ワイヤレスデバイス、モバイルクライアント、クライアント、または何らかの他の好適な用語を含むか、またはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥ１１５は、マクロｅＮＢ、スモールセルｅＮＢ、リレー基地局などを含む、様々なタイプの基地局およびネットワーク機器と通信することが可能であり得る。
【００３１】
[0046]  ワイヤレス通信システム１００に示されている通信リンク１２５は、ＵＥ１１５から基地局１０５へのアップリンク（ＵＬ）送信、および／または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。各通信リンク１２５は１つまたは複数のキャリアを含み得、ここで、各キャリアは、上記で説明された様々な無線技術に従って変調された複数のサブキャリア（例えば、異なる周波数の波形信号）からなる信号であり得る。各被変調信号は、異なるサブキャリア上で送られ得、制御情報（例えば、基準信号、制御チャネルなど）、オーバーヘッド情報、ユーザデータなどを搬送し得る。通信リンク１２５は、（例えば、対スペクトルリソースを使用する）ＦＤＤ動作または（例えば、不対スペクトルリソースを使用する）ＴＤＤ動作を使用して、双方向通信を送信し得る。ＦＤＤのためのフレーム構造（例えば、フレーム構造タイプ１）とＴＤＤのためのフレーム構造（例えば、フレーム構造タイプ２）とが定義され得る。
【００３２】
[0047]  ワイヤレス通信システム１００のいくつかの実施形態では、基地局１０５および／またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５および／またはＵＥ１１５は、同じまたは異なるコード化データを搬送する複数の空間レイヤを送信するために、マルチパス環境を利用し得る多入力多出力（ＭＩＭＯ）技法を採用し得る。
【００３３】
[0048]  ワイヤレス通信システム１００は、複数のセルまたはキャリア上での動作、すなわち、キャリアアグリゲーション（ＣＡ）またはマルチキャリア動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用され得る。ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００３４】
[0049]  ワイヤレス通信システム１００は、（通信リンク１２５を介して）基地局１０５と（通信リンク１３５を介して）アクセスポイント１１０の両方と通信しているＵＥ１１５−ａを含む。一例として、ＵＥ１１５−ａは、Ｗｉ−Ｆｉまたは他のＷＬＡＮ通信を使用してアクセスポイント１１０と通信し得、ＵＥ１１５−ａは、ＬＴＥ、ＧＳＭ（登録商標）、または他のＷＷＡＮ通信を使用して基地局１０５と通信し得る。通信は同時であり得る。一例として、ＵＥ１１５−ａは、複数のＳＩＭを含み得、ＬＴＥ通信を使用して１つの基地局１０５と、ＧＳＭ通信を使用して別の基地局１０５と、およびＷｉ−Ｆｉ通信を使用してアクセスポイント１１０と通信し得る。別の例として、ＵＥ１１５−ａは、ＬＴＥ通信を使用して１つの基地局１０５と、ＧＳＭ通信を使用して同じ基地局１０５と、およびＷｉ−Ｆｉ通信を使用してアクセスポイント１１０と通信し得る。アクセスポイント１１０は、基地局１０５の地理カバレージエリア１２０と重複するアクセスポイントカバレージエリア１２２を有し得る。
【００３５】
[0050]  ＵＥ１１５−ａは１つまたは複数のＷＷＡＮ無線機を含み得る。ＵＥ１１５−ａが単一のＷＷＡＮ無線機を含む場合、単一のＷＷＡＮ無線機は、複数のＷＷＡＮ通信間で共有され得る。例えば、（ＬＴＥ通信などの）第１のＷＷＡＮ通信は、第１の時間期間中にＷＷＡＮ無線機を利用し得、（ＧＳＭ通信などの）第２のＷＷＡＮ通信は、第２の時間期間中にＷＷＡＮ無線機を利用し得る。１つのＳＩＭによって可能にされるＷＷＡＮ通信がＷＷＡＮ無線機を利用しているとき、ＷＷＡＮ無線機チェーンは、異なるＳＩＭによって可能にされる異なるＷＷＡＮ通信のための使用のために利用不可能であり得る。従って、複数のＷＷＡＮ通信が行われている間、ＵＥ１１５−ａは、ＷＷＡＮ無線機からＷＬＡＮ無線機へのＷＷＡＮ通信のうちの１つのために、処理の部分をオフロードするために、ＵＥ中のＷＬＡＮ無線機の部分を利用し得る。このようにして、単一ＷＷＡＮ無線機の利用可能性が増加させられ得る。
【００３６】
[0051]  図２は、ワイヤレス通信システム２００の一例を示すシステム図を示す。ワイヤレス通信システム２００−ａは、基地局１０５−ａ−１と、基地局１０５−ａ−２と、アクセスポイント１１０−ａと、ＵＥ１１５−ｂとを含み得る。ＵＥ１１５−ｂは、図１のワイヤレス通信システム１００中のＵＥ１１５−ａの一例であり得、ＷＷＡＮ通信とＷＬＡＮ通信の両方に関与し得る。基地局１０５−ａ−１、１０５−ａ−２は、図１のワイヤレス通信システム１００中に含まれる基地局１０５の一例であり得、アクセスポイント１１０−ａは、図１のワイヤレス通信システム１００中のアクセスポイント１１０の一例であり得る。
【００３７】
[0052]  ワイヤレス通信システム２００では、ＵＥ１１５−ｂは、アンテナ、ＷＷＡＮアンテナ２０５、およびＷＬＡＮアンテナ２１０のうちの少なくとも２つの異なるセットを含み得る。例えば、ＷＷＡＮアンテナ２０５は、ＷＷＡＮ無線機に関連付けられたＷＷＡＮアンテナを含み得る。ＷＷＡＮアンテナ２０５を使用して、ＵＥ１１５−ｂは、通信リンク１２５を介して、基地局１０５−ａ−１および基地局１０５−ａ−２とのＷＷＡＮ通信に関与し得る。ＷＷＡＮアンテナ２０５および関連付けられたＷＷＡＮ無線機は、ＷＷＡＮ通信中に使用され得る。ＷＷＡＮアンテナ２０５は、各ＷＷＡＮ通信が異なるＳＩＭをサポートする、基地局１０５−ａ−１および／または基地局１０５−ａ−２とのＷＷＡＮ通信のために、１つまたは複数のダイバーシティＷＷＡＮアンテナを含み得る。１つまたは複数のダイバーシティＷＷＡＮアンテナ２０５はまた、ＷＷＡＮ通信がキャリアアグリゲーション（ＣＡ）またはマルチキャリアモードにおいて１つのＳＩＭをサポートする、基地局１０５−ａ−１および／または基地局１０５−ａ−２とのＷＷＡＮ通信のために使用され得る。
【００３８】
[0053]  ワイヤレス通信システム２００では、ＵＥ１１５−ｂは、（通信リンク１３５を介して）アクセスポイント１１０−ａと通信するために、ＷＬＡＮアンテナ２１０を使用し得る。アクセスポイント１１０−ａとの通信は、Ｗｉ−Ｆｉまたは他のＷＬＡＮ通信であり得る。以下でより詳細に説明されるように、ＷＬＡＮ無線機はＷＷＡＮ無線機を支援し得、その逆も同様である。例えば、基地局１０５−ａ−１からのＷＷＡＮ通信がＷＷＡＮアンテナ２０５によって受信され得る間、そのＷＷＡＮ通信は、ＷＷＡＮ無線機が基地局１０５−ａ−２からの異なるＷＷＡＮ通信を処理している間、ＷＬＡＮ無線機の部分によって処理され得る。
【００３９】
[0054]  いくつかの例では、ＷＬＡＮ無線機がＷＷＡＮ無線機を適切に支援するために、ＷＷＡＮ無線機とＷＬＡＮ無線機との間の正確な周波数同期が必要であり得る。例えば、ＷＬＡＮ無線機は、ＷＷＡＮ無線機のためのＲＦサンプルをキャプチャすることによって、ＷＷＡＮ無線機が周波数間探索および測定を行うことを支援し得る。別の例として、ＷＬＡＮ無線機は、複数のＳＩＭがＵＥ１１５−ｂ中でアクティブであるとき、ＷＷＡＮ無線機が、２次ＳＩＭ上の通信を扱うことを支援し得る。また別の例として、ＷＬＡＮ無線機は、ＵＥ１１５−ｂがキャリアアグリゲーションモードにあるとき、ＷＷＡＮ無線機が追加のキャリアをサポートすることを支援し得る。
【００４０】
[0055]  図３は、本開示の様々な態様による、ワイヤレス通信において使用するためのＵＥ１１５−ｃのブロック図３００を示す。ＵＥ１１５−ｃは、ＷＷＡＮ無線機３０５とＷＬＡＮ無線機３１０とを含み得る。ＷＷＡＮ無線機３０５は、ＷＷＡＮモデム３１５とＷＷＡＮ基準クロック３２０とを含み得る。ＷＬＡＮ無線機３１０は、ＷＬＡＮモデム３２５とＷＬＡＮ基準クロック３３０とを含み得る。ＷＷＡＮ無線機３０５は、システムバス３３５を介してＷＬＡＮ無線機３１０に支援を要求し得る。システムバス３３５はまた、ＷＷＡＮ無線機３０５とＷＬＡＮ無線機３１０との間で、ＲＦサンプルおよび周波数オフセット情報など、情報を交換するために使用され得る。
【００４１】
[0056]  ＷＷＡＮ基準クロック３２０およびＷＬＡＮ基準クロック３３０は、異なる周波数誤差要件を有し得る。例えば、ＷＷＡＮ基準クロック３２０は５パーツパーミリオン（ｐｐｍ）の周波数誤差要件を有し得、ＷＬＡＮ基準クロック３３０は２０ｐｐｍの周波数誤差要件を有し得る。この例では、ＷＷＡＮ基準クロック３２０とＷＬＡＮ基準クロック３３０の両方の最大総誤差は＋／−２５ｐｐｍである。周波数制御サブシステム３４０は、ＷＷＡＮ基準クロック３２０およびＷＬＡＮ基準クロック３３０の総周波数誤差を推定し、総周波数誤差を著しくより低いレベルに低減するために使用され得る。図３に示されているように、周波数制御サブシステム３４０はＷＬＡＮ無線機３１０のモジュールであり得る。代替的に、周波数制御サブシステム３４０は、ＷＷＡＮ無線機３０５のモジュールであり得、またはＷＬＡＮ無線機３１０とＷＷＡＮ無線機３０５の両方の外部にあり得る。周波数制御サブシステム３４０がＷＬＡＮ無線機３１０とＷＷＡＮ無線機３０５の両方の外部にある状況では、周波数制御サブシステム３４０は、ＷＬＡＮ無線機３１０とＷＷＡＮ無線機３０５の両方とインターフェースする。
【００４２】
[0057]  図４は、本開示の様々な態様による、周波数カウンタ動作のブロック図４００を示す。周波数カウンタ動作は、図３を参照しながら説明された周波数制御サブシステム３４０の態様によって行われ得る。ＷＷＡＮ基準クロックは、周波数ｖxおよび１／ｖxの期間を有するＷＷＡＮクロック波形４２０を生成し得る。周波数分割器４０５は、ラッチング間隔Ｔ＝Ｎx／ｖxを有するゲートパルス４３０を生成するために、ＮxによってＷＷＡＮクロック波形４２０の期間を増加させ得る。
【００４３】
[0058]  ＷＬＡＮ基準クロックは、周波数ｖcおよび１／ｖcの期間を有するＷＬＡＮクロック波形４２５を生成し得る。ＷＬＡＮクロック波形４２５およびゲートパルス４３０は、論理ＡＮＤゲート４１０中で比較され得る。ゲートパルス４３０は、論理ＡＮＤゲート４１０の出力４３５が、ゲートパルス４３０中に生じるＷＬＡＮクロック波形４２５のサイクルであるように、ラッチとして働き得る。バイナリカウンタ４１５は、次いで、出力４３５のサイクルの数Ｎc（すなわち、ゲートパルス４３０中に生じるＷＬＡＮクロック波形４２５のサイクルの数）をカウントし得、ここで、Ｎc＝ｖcＴ＝Ｎxｖc／ｖxである。
【００４４】
[0059]  単一の周波数測定からの測定時間および不確実性は、バイナリカウンタ４１５によってカウントされたサイクル（ｖc）ならびにゲートパルス４３０のラッチング間隔（Ｔ）に依存し得る。例えば、ゲートパルス４３０が毎秒１回（Ｔ＝１秒）のラッチング間隔を有し、ＷＬＡＮ基準クロックが、４８０ＭＨｚ（ｖc＝４８０ＭＨｚ）の周波数をもつＷＬＡＮクロック波形４２５を生成する場合、周波数推定値は、４８０ＭＨｚ  ＷＬＡＮクロック波形４２５のラッチされたカウントにおける差であり得、不確実性は、バイナリカウンタ４１５によってカウントされたＷＬＡＮクロック波形４２５の１つのサイクル（例えば、１／４８０μｓ）であり得、これは、約２ｐｐｂの周波数誤差をもたらし得る。
【００４５】
[0060]  より長いゲートパルス４３０は、より正確な周波数測定を与え得る。しかしながら、ＷＬＡＮ無線機およびＷＷＡＮ無線機がリソースを共有しているとき、より長いラッチング期間は利用可能でないことがある。従って、周波数カウンタ動作は、ＷＬＡＮ無線機およびＷＷＡＮ無線機が互いに支援する前または後に行われ得る。いくつかの例では、これは、支援についての要求を満たす際に、増加されたレイテンシを生じ得る。このレイテンシは、周波数カウンタ動作を調整することによって低減され得る。
【００４６】
[0061]  図５は、本開示の様々な態様による、周波数制御サブシステム３４０−ａのブロック図５００を示す。周波数制御サブシステム３４０−ａは、図３を参照しながら説明された周波数制御サブシステム３４０の１つまたは複数の態様の一例であり得る。
【００４７】
[0062]  周波数制御サブシステム３４０−ａは、周波数カウンタ５０５を含み得る。周波数カウンタ５０５は、図４を参照しながら説明された周波数制御動作のうちの１つまたは複数を行い得る。周波数カウンタ５０５は、周波数分割器５１０と、クロック領域伝達関数５１５と、ＷＷＡＮ基準クロックラッチレジスタ（WWAN reference clock latched register）５２０と、自走カウンタ５２５と含み得る。周波数分割器５１０は、ＷＷＡＮ基準クロックからＷＷＡＮクロック波形５４０を受信し得る。周波数分割器５１０は、ＷＷＡＮ基準クロックからのＷＷＡＮクロック波形５４０に基づいて、比較周波数５５０を生成し得る。クロック領域伝達関数５１５は、ＷＬＡＮ基準クロックから比較周波数およびＷＬＡＮクロック波形５４５を受信し得、ゲートパルス５５５を生成し得る。ＷＷＡＮ基準クロックラッチレジスタ５２０は、クロック領域伝達関数５１５からのゲートパルス５５５に基づいて有効にされ得る。ＷＬＡＮ基準クロックからのＷＬＡＮクロック波形５４５は、ＷＷＡＮ基準クロックラッチレジスタ５２０のためのクロック信号として使用され得る。ＷＬＡＮ基準クロックからのＷＬＡＮクロック波形５４５は、自走カウンタ５２５のためのクロック信号としても使用され得る。自走カウンタ５２５は、ＷＷＡＮ基準クロックラッチレジスタ５２０のための入力を与え得る。ＷＷＡＮ基準クロックラッチレジスタ５２０は、クロック領域伝達関数５１５からのゲートパルス５５５中に生じるＷＬＡＮ基準クロックのサイクルの数を出力し得る。
【００４８】
[0063]  周波数制御サブシステム３４０−ａは、周波数調整を行うために、ＷＬＡＮ無線機３１０−ａの構成要素を利用し得る。ＷＬＡＮ無線機３１０−ａは、図３を参照しながら説明されたＷＬＡＮ無線機３１０の１つまたは複数の態様の一例であり得る。ＷＬＡＮ無線機３１０−ａは、周波数オフセット計算５３０と、周波数オフセット補正５３５とを含み得る。周波数オフセット計算５３０は、ゲートパルス中に生じるＷＬＡＮ基準クロックのサイクルの数を受信し得、数に基づいて周波数オフセットを決定し得る。周波数オフセットは、ＷＷＡＮ基準クロックおよびＷＬＡＮ基準クロックの異なる周波数または周波数誤差を考慮し得る。周波数オフセット補正５３５は、周波数オフセット計算５３０から周波数オフセットを受信し得る。周波数オフセット補正５３５は、ＷＬＡＮ無線機３１０−ａによって受信されたデータサンプルを補正するために周波数オフセットを使用し、ＷＷＡＮ無線機（図示せず）に補正されたデータサンプルを報告し得る。データサンプルは、ＷＷＡＮ基準クロックおよびＷＬＡＮ基準クロックの異なる周波数または周波数誤差を補償するために補正され得る。
【００４９】
[0064]  データサンプルは、周波数間探索および測定のためのものであり得る。ＷＬＡＮ無線機３１０−ａがＷＷＡＮ無線機（図示せず）の周波数間探索および測定を支援するとき、測定のためのデータサンプルは、特定の周期性（例えば、４０ｍｓごとに６ｍｓサンプルキャプチャ）においてキャプチャされる必要があり得る。いくつかの例では、ＷＬＡＮ無線機３１０−ａおよび周波数制御サブシステム３４０−ａは、データサンプルのキャプチャを開始する前に初期化するための時間をほとんど有しないことがある。例えば、ＷＬＡＮ無線機３１０−ａおよび周波数制御サブシステム３４０−ａは、パワーダウンされるか、あるいは周波数間探索についてＷＷＡＮ無線機を支援するようにとの要求が受信される前にそれの機能の大部分が無効にされる低電力または電力節約モードにあり得る。低電力、低解像度クロックのみが、支援についての要求の受信より前に（基本動作を維持するために）ＷＬＡＮ無線機３１０−ａ上で動作し得る。ＷＷＡＮ基準クロックはまた、ＷＬＡＮ支援についての要求を受信するより前に周波数制御サブシステム３４０−ａにとって利用可能でないことがある。ＷＬＡＮ無線機３１０−ａは、ＷＷＡＮ無線機の要件により、所定の時間内の周波数間探索および測定のためにデータサンプルを与える必要があり得る。従って、周波数制御サブシステム３４０−ａによって使用されるゲートパルスの長さは制約され得る。場合によっては、ＷＬＡＮ無線機３１０−ａがＷＷＡＮ無線機を支援するとき、追加のレイテンシが導入され得る。このレイテンシは、周波数制御サブシステム３４０−ａの態様を調整することによって低減され得る。
【００５０】
[0065]  これらの問題に対処するために、周波数制御サブシステム３４０−ａは、周波数補正を適用するそれの準備完了のタイミングを改善するように構成され得る。例えば、周波数制御サブシステム３４０−ａは、（支援モードにアクセスするために）支援についての要求が発行される前に、ＷＬＡＮ基準クロックおよびＷＷＡＮ基準クロックの周波数オフセットを測定し得る。代替的にまたは追加として、周波数制御サブシステム３４０−ａは、ＷＬＡＮスリープサイクル中に周波数オフセットカウンタ状態を記憶し、ＷＬＡＮパワーアップ前に記憶された周波数オフセットカウンタ状態をロードし得る。代替的にまたは追加として、周波数制御サブシステム３４０−ａは、経時的な周波数測定における誤差を低減するために周波数オフセット測定のために使用されるラッチング間隔を動的に適応させ得る。これらの改善は、以下で説明される、図６〜図８中に含まれる様々なタイミング図に示されている。
【００５１】
[0066]  図６は、本開示の様々な態様による、ＵＥのためのタイミング図６００の一例を示す。特に、タイミング図６００は、ＵＥ中のＷＷＡＮ基準クロックおよびＷＬＡＮ基準クロックの異なる周波数または周波数誤差の補正のために使用され得る改善されたタイミングに関する。追加の、改善されたタイミング図が、図７および図８を参照しながら以下で説明される。タイミング図６００では、ＷＬＡＮ基準クロックは、ＷＬＡＮ支援についてのＷＷＡＮ要求に先立って測定される。ＷＬＡＮ支援についてのＷＷＡＮ要求より前にＷＬＡＮ基準クロックを測定することによって、ＷＬＡＮ支援モードは、ＷＬＡＮ基準クロックの測定による追加のレイテンシなしに、要求が受信されるとすぐに開始し得る。
【００５２】
[0067]  タイミング図６００では、ＵＥのＷＬＡＮ無線機とＷＷＡＮ無線機との間の支援モードがトリガされる前に、ＷＬＡＮ無線機は、ショートパワーオン持続時間６０５およびロングパワーオフ持続時間６１０をもつあらかじめ定義されたスリープサイクルを有し得る。（時間６４０において）ＷＬＡＮ無線機とＷＷＡＮ無線機との間の支援モードがトリガされた後、ＷＬＡＮ無線機は、周波数オフセット推定および補正のためのカウンタラッチングを可能にするために、大きい初期オン持続時間６１５を有し得る。（時間６４５において）支援モードが開始した後の後続のキャプチャ持続時間６２０が、ＷＬＡＮ無線機を使用してＷＷＡＮデータサンプルをキャプチャすることを可能にするために、より長くなり得る。ＷＬＡＮ基準クロックは、パワーオン持続時間６０５、初期オン持続時間６１５、およびキャプチャ持続時間６２０中に有効にされ得る。
【００５３】
[0068]  いくつかの例では、周波数オフセット測定は、支援モードが開始する（６４５）前にトリガされ得る（６４０）。この早期トリガ時間は、周波数制御サブシステムが、ＷＬＡＮ無線機支援についてのＷＷＡＮ要求よりも早期にＷＬＡＮ基準クロックを復元し、測定することを可能にし得る。（時間６５０において）支援モードが終了したとき、ＷＬＡＮスリープサイクルは、ショートパワーオン持続時間６０５およびロングパワーオフ持続時間６１０に戻り得る。
【００５４】
[0069]  ＷＬＡＮ基準クロックが周波数測定のために初期化された後に、ＷＷＡＮゲートパルス６２５が生成され得る。ＷＷＡＮゲートパルス６２５は、ＷＬＡＮ基準クロックをラッチし、ＷＬＡＮカウンタサイクル６３０を生成するために使用され得る。ＷＷＡＮゲートパルス６２５中に生じるＷＬＡＮカウンタサイクル６３０の数は、ＷＬＡＮ無線機がＷＷＡＮデータサンプルをキャプチャするときに使用すべき周波数オフセットを決定し得る。ＷＬＡＮ無線機は、支援モードが開始し、周波数オフセットが決定されたときに、ＷＷＡＮデータサンプルをキャプチャし始め得る。ＷＬＡＮキャプチャサイクル６３５が、支援モード中に生じるキャプチャ持続時間６２０に対応し得る。
【００５５】
[0070]  支援モードは、ＷＷＡＮ無線機がＷＬＡＮ無線機にサンプルキャプチャについての要求を送るときに開始し得る。いくつかの例では、ＷＷＡＮ無線機はまた、支援モードについての要求の前に周波数制御サブシステムカウンタラッチングプロシージャを開始するために、ＷＬＡＮ無線機に早期測定トリガを送り得る。早期測定トリガは、予測方法に基づき得、サービングセル測定値に基づくレイヤ３信号（例えば、基準信号受信電力または基準信号受信品質）、および実際の周波数間測定が構成される前のしきい値または測定報告を含み得る。代替的にまたは追加として、早期測定トリガは、非予測方法に基づき得、所定のデューティサイクルを用いた周期トリガであり得る。
【００５６】
[0071]  いくつかの例では、早期測定トリガは、ＷＬＡＮ支援が必要とされ得るときの推定値に基づいて予測され得る。例えば、ＵＥがキャリアアグリゲーションモードを利用している場合、早期測定トリガは、ＷＷＡＮ無線機がネットワークからキャリアアグリゲーション構成を受信したときに送られ得る。早期測定トリガはまた、ＷＬＡＮ無線機がＷＷＡＮ無線機のＧＳＭ通信を支援する、複数ＳＩＭ適用例の場合使用され得る。
【００５７】
[0072]  代替的に、測定トリガは、ＷＬＡＮ支援要求とともに送られ得る。この場合、初期オン持続時間６１５の開始は、周波数誤差を改良する際に使用されることになる。例えば、測定トリガは、モバイル着信呼またはモバイル発信呼のためのページングであり得る。ＷＬＡＮ支援についての要求と同時に測定トリガを送ることが測定タイムラインに影響を及ぼし得るが、それは、周波数オフセット測定が必要とされることを保証する。測定トリガが早期に適切に送られない場合、ＷＬＡＮ支援モードは遅延され得る。
【００５８】
[0073]  図７は、本開示の様々な態様による、ＵＥのためのタイミング図７００の別の例を示す。特に、タイミング図７００は、ＵＥ中のＷＷＡＮ基準クロックおよびＷＬＡＮ基準クロックの異なる周波数または周波数誤差の補正のために使用され得る改善されたタイミングに関する。ＵＥは、周波数オフセットカウンタ状態を記憶し、次いで、後で、支援モードが開始したときに周波数オフセットカウンタ状態をロードし得る。
【００５９】
[0074]  タイミング図７００では、ＵＥのＷＬＡＮ無線機とＷＷＡＮ無線機との間の支援モードが開始する前に、ＷＬＡＮ無線機は、ショートパワーオン持続時間７０５およびロングパワーオフ持続時間７１０をもつあらかじめ定義されたスリープサイクルを有し得る。（時間７４０において）ＷＬＡＮ無線機とＷＷＡＮ無線機との間の支援モードが開始する前に、大きいラッチオン持続時間７１５が、（時間７５０において）初期周波数オフセットが記憶されることを可能にするために実施され得る。（時間７４０において）支援モードが開始すると、キャプチャ持続時間７２０が、ＷＬＡＮ無線機を使用してＷＷＡＮデータサンプルをキャプチャすることを可能にするために、より長くなり得る。ＷＬＡＮ基準クロックは、パワーオン持続時間７０５、ラッチオン持続時間７１５、およびキャプチャ持続時間７２０中に有効にされ得る。
【００６０】
[0075]  ＷＷＡＮゲートパルス７２５が、ラッチオン持続時間７１５中に生成され得る。ＷＷＡＮゲートパルス７２５は、ＷＬＡＮ基準クロックをラッチし、初期ＷＬＡＮカウンタサイクル７３０を生成するために使用され得る。ＷＷＡＮゲートパルス７２５中に生じる初期ＷＬＡＮカウンタサイクル７３０の数は、初期周波数オフセットを決定し得る。ラッチオン持続時間７１５の最後に、周波数オフセットカウンタの状態が（時間７５０において）記憶され得る。
【００６１】
[0076]  ＷＬＡＮ無線機は、（時間７４０において）支援モードが開始したときに、ＷＷＡＮデータサンプルをキャプチャし始め得る。ＷＬＡＮキャプチャサイクル７３５が、支援モード中に生じるキャプチャ持続時間７２０に対応し得る。支援モードが開始したとき、周波数オフセットカウンタの前に記憶された状態は、（時間７５５において）ロードされ、ＷＬＡＮ無線機によってキャプチャされたＷＷＡＮデータサンプルの周波数補正のために使用され得る。従って、周波数オフセット測定は、２つのプロセスが非同期的に行われるので、支援モードから分離され得る。（時間７４５において）支援モードが終了したとき、ＷＬＡＮスリープサイクルは、ショートパワーオン持続時間７０５に戻り得る。
【００６２】
[0077]  いくつかの例では、記憶された周波数オフセットカウンタ状態は、予測されたカウンタ値に基づいて更新され得る。例えば、ＷＬＡＮ無線機が持続時間Ｘの間スリープすると仮定すると、記憶された周波数オフセットカウンタ値は、時間Ｎにおけるカウンタ値の推定値を生成するために、予測されたカウンタ値を用いて更新され得る。予測されたカウンタ値は、ＷＬＡＮ基準クロックとＷＷＡＮ基準クロックとの間のドリフトの関数であり得る。
【００６３】
[0078]  ドリフトは、ＷＬＡＮサイクルに少なくとも部分的に基づき得る。パワーオフ持続時間７１０中に、ＷＬＡＮ基準クロックはゲートオフされ得、記憶された周波数オフセットカウンタ状態は実時間との相関を失い得る。低電力スリープクロックが、ＷＬＡＮ基準クロックのために使用される結晶周波数の分割されたバージョンに較正され得る。低電力スリープクロックは、パワーオフ持続時間７１０中に周波数オフセットにおける温度ドリフトを追跡するために使用され得る。
【００６４】
[0079]  周波数オフセットカウンタ状態を記憶することによって、ＷＬＡＮ支援モードは、ＷＬＡＮ基準クロックとＷＷＡＮ基準クロックとの間の周波数オフセットを測定するために、遅延なしに開始し得る。
【００６５】
[0080]  図８は、本開示の様々な態様による、ＵＥのためのタイミング図８００の別の例を示す。特に、タイミング図８００は、ＵＥ中のＷＷＡＮ基準クロックおよびＷＬＡＮ基準クロックの異なる周波数または周波数誤差の補正のために使用され得る別の改善されたタイミングに関する。ＵＥは、周波数オフセットを測定するために使用されるゲートパルスの持続時間を動的に適応させ得、それは、周波数測定における改善された精度およびより少ないレイテンシを生じ得る。
【００６６】
[0081]  ＵＥのＷＬＡＮ無線機とＷＷＡＮ無線機との間の支援モードが開始する前に、ＷＬＡＮ無線機は、ショートパワーオン持続時間８０５およびロングパワーオフ持続時間８１０とともにあらかじめ定義されたスリープサイクルを有し得る。（時間８５５において）ＷＬＡＮ無線機とＷＷＡＮ無線機との間の支援モードが開始したとき、大きい初期オン持続時間８１５が、周波数オフセット推定および補正のための動的カウンタラッチングを可能にするために実施され得る。後続のキャプチャ持続時間８２０が、ＷＬＡＮ無線機を使用してＷＷＡＮデータサンプルをキャプチャすることを可能にするために、より長くなり得る。ＷＬＡＮ基準クロックは、パワーオン持続時間８０５、初期オン持続時間８１５、およびキャプチャ持続時間８２０中に有効にされ得る。
【００６７】
[0082]  ＷＬＡＮ基準クロックが周波数測定のために初期化された後に、ＷＷＡＮロングゲートパルス８２５が生成され得る。ＷＷＡＮロングゲートパルス８２５は、ＷＬＡＮ基準クロックをラッチし、ＷＬＡＮロングカウンタサイクル８３０を生成するために使用され得る。ＷＬＡＮ基準クロックが周波数測定のために初期化された後に、ＷＷＡＮショートゲートパルス８３５も生成され得る。ＷＷＡＮショートゲートパルス８３５はまた、ＷＬＡＮ基準クロックをラッチし、ＷＬＡＮショートカウンタサイクル８４０を生成するために使用され得る。
【００６８】
[0083]  ＵＥは、ＷＬＡＮ無線機によってキャプチャされた初期ＷＷＡＮデータサンプルのために使用すべき周波数オフセットを決定するために、ＷＷＡＮショートゲートパルス８３５中に生じるＷＬＡＮショートカウンタサイクル８４０の数を使用し得る。ＷＬＡＮ無線機は、支援モードが開始し、周波数オフセットがＷＷＡＮショートゲートパルス８３５から決定された後に、ＷＷＡＮデータサンプルをキャプチャし始め得る。初期ショートＷＬＡＮキャプチャサイクル８４５は、ＷＬＡＮロングカウンタサイクルが依然として生成されている間に生じ得、データサンプルに適用されるべき周波数オフセットを決定するために、ＷＷＡＮショートゲートパルス８３５を利用し得る。ＷＷＡＮショートゲートパルス８３５は、ＷＷＡＮロングゲートパルス８２５よりも正確でないことがあるが、ＷＷＡＮショートゲートパルス８３５は、ショートＷＬＡＮキャプチャサイクル８４５では、ＷＬＡＮ無線機がＷＷＡＮデータサンプルをより早期にキャプチャし始めることを可能にし得る。
【００６９】
[0084]  ＷＬＡＮ基準クロックがより長い持続時間の間オンのままであるとき、ＷＷＡＮロングゲートパルス８２５は、ロングＷＬＡＮキャプチャサイクル８５０中にＷＬＡＮ無線機によってキャプチャされる後続のＷＷＡＮデータサンプルのために使用すべきより正確な周波数オフセットを生成し得る。後続のロングＷＬＡＮキャプチャサイクル８５０はまた、支援モード中に生じるキャプチャ持続時間８２０に対応し得る。（時間８６０において）支援モードが終了したとき、ＷＬＡＮスリープサイクルは、ショートパワーオン持続時間８０５およびロングパワーオフ持続時間８１０に戻り得る。
【００７０】
[0085]  いくつかの例では、図８に示されているロングゲートパルス持続期間およびショートゲートパルス持続期間以外の追加のＷＷＡＮゲートパルス持続期間に基づいて、追加の周波数オフセットが記録され得る。追加のレジスタが、異なるゲートパルス持続期間によって生成された異なる周波数誤差推定値を記録し得る。異なる周波数誤差推定値は、次いで、組み合わせられ得る。代替的に、ショートゲートパルス持続期間に基づく周波数誤差推定値が利用可能になると、追加のレジスタは、ＵＥによって他の使用のための利用可能にされ得る。ゲートパルス持続期間を動的に調整することによって、周波数オフセット測定の精度および支援モードのレイテンシが、経時的に調整されるか、またはＵＥの必要に基づいて選択され得る。
【００７１】
[0086]  図９は、本開示の様々な態様による、複数のレジスタを使用する周波数カウンタ動作のブロック図９００を示す。複数のレジスタは、周波数オフセット測定の精度をさらに改善するために、ＷＷＡＮクロック波形に適用された位相シフトと組み合わせられ得る。周波数カウンタ動作は、図３を参照しながら説明された周波数制御サブシステム３４０の態様によって行われ得る。ＷＷＡＮ基準クロックは、周波数ｖxおよび１／ｖxの期間を有するＷＷＡＮクロック波形９３０を生成し得る。周波数分割器９０５は、ラッチング間隔Ｔ＝Ｎx／ｖxを有するゲートパルス９４０を生成するために、ＮxによってＷＷＡＮクロック波形の期間を増加させ得る。
【００７２】
[0087]  ＷＬＡＮ基準クロックは、周波数ｖcおよび１／ｖcの期間を有するＷＬＡＮクロック波形９３５を生成し得る。ＷＬＡＮクロック波形の位相は、０位相シフト９１０−ａ、π／２位相シフト９１０−ｂ、π位相シフト９１０−ｃ、および３π／２位相シフト９１０−ｄによってシフトされ得る。位相シフトは、ＷＬＡＮクロック波形９３５がゲートパルス９４０とより正確に整合されることを可能にし得る。いくつかの例では、複数のゲートパルス持続期間は、図８を参照しながら説明されたように使用され得る。
【００７３】
[0088]  位相シフトＷＬＡＮクロック波形の各々は、論理ＡＮＤゲート９１５−ａ、９１５−ｂ、９１５−ｃ、および９１５−ｄ中で周波数分割器９０５からのゲートパルスと比較され得る。ゲートパルスは、各論理ＡＮＤゲート９１５−ａ、９１５−ｂ、９１５−ｃ、および９１５−ｄの出力が、ゲートパルス中に生じるＷＬＡＮクロック波形のサイクルであるように、ＷＬＡＮクロック波形の各々のためのラッチとして働き得る。レジスタバンク９２０は、ゲートパルス中に生じるＷＬＡＮクロック波形の各々のサイクルの数をカウントするためのバイナリカウンタ９２５−ａ、９２５−ｂ、９２５−ｃ、および９２５−ｄを含み得る。（πｎ／Ｎの位相シフトに対応する）Ｎ個のバイナリカウンタを用いて、レジスタバンクの有効解像度はＮ倍に改善され得る。
【００７４】
[0089]  （図８に示されているように）初期オン持続時間が開始したとき、すべてのレジスタは、フル解像度を得るようにトリガされ得る。ターゲット精度が達成されると、アクティブレジスタの数は低減され得る。非アクティブレジスタは、ＷＬＡＮ無線機のための他のタスクに割り当てられ得る。
【００７５】
[0090]  ＷＷＡＮ基準クロックおよびＷＬＡＮ基準クロックはそれぞれ、発振器水晶に関連付けられ得る。発振器水晶は基準クロック周波数のための基底を与え得る。発振器水晶はいくつかの許容差で製造され得る。例えば、発振器水晶の共振周波数は、水晶のカット、年数、および温度に基づいて変化し得る。発振器水晶のカットは、水晶の周波数誤差の著しい影響を有し得る。
【００７６】
[0091]  ＷＷＡＮ基準クロックとＷＬＡＮ基準クロックとの間の周波数オフセットは、各基準クロックに関連付けられた発振器水晶間のカットの差に部分的に基づき得る。カットベースの周波数オフセットが、一定の温度で制御された環境の下で測定され、ＵＥの不揮発性記憶装置に記憶され得る。カットベースの周波数オフセットは、次いで、初期周波数オフセットとして使用され得る。カットベースの周波数オフセットは、ＵＥがＷＷＡＮ基準クロックとＷＬＡＮ基準クロックとの間の周波数オフセットを決定するための全体的時間を減少させ得る。
【００７７】
[0092]  図１０は、本開示の様々な態様による、ワイヤレス通信において使用するためのデバイス１００５のブロック図１０００を示す。デバイス１００５は、図１、図２、または図３を参照しながら説明されたＵＥ１１５の１つまたは複数の態様の一例であり得る。デバイス１００５は、受信機モジュール１０１０と、周波数測定モジュール１０１５と、送信機モジュール１０２０とを含み得る。デバイス１００５はまた、プロセッサ（図示せず）であるか、またはプロセッサを含み得る。これらのモジュールの各々は互いと通信していることがある。
【００７８】
[0093]  デバイス１００５の構成要素は、適用可能な機能の一部または全部をハードウェアで行うように適応された１つまたは複数の特定用途向け集積回路（ＡＳＩＣ）を使用して、個々にまたはまとめて実施され得る。代替的に、それらの機能は、１つまたは複数の他の処理ユニット（またはコア）によって、１つまたは複数の集積回路上で行われ得る。他の例では、当技術分野で知られている任意の様式でプログラムされ得る、他のタイプの集積回路（例えば、ストラクチャード／プラットフォームＡＳＩＣ、フィールドプログラマブルゲートアレイ（ＦＰＧＡ）、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実施され得る。
【００７９】
[0094]  受信機モジュール１０１０は、パケット、ユーザデータ、および／または様々な情報チャネル（例えば、制御チャネル、データチャネルなど）に関連付けられた制御情報などの情報を受信し得る。受信機モジュール１０１０は、（Ｗｉ−Ｆｉ通信などの）ＷＬＡＮ通信ならびに（ＬＴＥまたはＧＳＭ通信などの）ＷＷＡＮ通信の両方を受信するように構成され得る。受信機モジュール１０１０は、ＷＷＡＮ通信を支援するためにＷＬＡＮ通信を受信するための構成要素を使用し得る。
【００８０】
[0095]  周波数測定モジュール１０１５は、２つの基準クロック間の周波数オフセットを決定し得る。周波数オフセットは、２つの基準クロック間の異なる周波数または周波数誤差を補償するために受信機モジュール１０１０または送信機モジュール１０２０によって使用され得る。いくつかの例では、周波数測定モジュール１０１５は、トランシーバモジュールにおいて受信機モジュール１０１０および送信機モジュール１０２０とコロケートされ得る。
【００８１】
[0096]  送信機モジュール１０２０は、パケット、ユーザデータ、および／または様々な情報チャネル（例えば、制御チャネル、データチャネルなど）に関連付けられた制御情報などの情報を送信し得る。送信機モジュール１０２０は、（Ｗｉ−Ｆｉ通信などの）ＷＬＡＮ通信ならびに（ＬＴＥまたはＧＳＭ通信などの）ＷＷＡＮ通信の両方を送信するように構成され得る。送信機モジュール１０２０は、ＷＷＡＮ通信を支援するためにＷＬＡＮ通信を送信するための構成要素を使用し得る。いくつかの例では、送信機モジュール１０２０は、トランシーバモジュールにおいて受信機モジュール１０１０および周波数測定モジュール１０１５とコロケートされ得る。
【００８２】
[0097]  図１１は、様々な例による、ワイヤレス通信において使用するためのデバイス１００５−ａのブロック図１１００を示す。デバイス１００５−ａは、図１、図２、または図３を参照しながら説明されたＵＥ１１５の１つまたは複数の態様の一例であり得る。デバイス１００５−ａはまた、図１０を参照しながら説明されたデバイス１００５の一例であり得る。デバイス１００５−ａは、受信機モジュール１０１０−ａと、周波数測定モジュール１０１５−ａと、送信機モジュール１０２０−ａとを含み得、これらは、デバイス１００５の対応するモジュールの例であり得る。デバイス１００５−ａはプロセッサ（図示せず）をも含み得る。これらの構成要素の各々は互いと通信していることがある。
【００８３】
[0098]  受信機モジュール１０１０−ａは、ＷＷＡＮモジュール１１０５−ａとＷＬＡＮモジュール１１１０−ａとを含み得る。ＷＷＡＮモジュール１１０５−ａはＷＷＡＮ通信のために使用され得る。ＷＬＡＮモジュール１１１０−ａは、ＷＬＡＮ通信のために使用され得、ＷＷＡＮモジュール１１０５−ａのＷＷＡＮ通信を支援し得る。
【００８４】
[0099]  周波数測定モジュール１０１５−ａは、支援モードモジュール１１１５と周波数オフセットモジュール１１２０とを含み得る。支援モードモジュール１１１５は、支援モードに関連付けられた１つまたは複数のトリガ係数を識別し得る。支援モードは、ＷＷＡＮモジュール１１０５を支援するＷＬＡＮモジュール１１１０を含み得る。周波数オフセットモジュール１１２０は、支援モードモジュール１１１５からの１つまたは複数のトリガ係数に少なくとも部分的に基づいて、ＷＷＡＮモジュール１１０５のＷＷＡＮ基準クロックとＷＬＡＮモジュール１１１０のＷＬＡＮ基準クロックとの間の周波数オフセットを測定し得る。周波数オフセットモジュール１１２０は、支援モードにあるとき、ＷＬＡＮモジュール１１１０またはＷＷＡＮモジュール１１０５による使用のために周波数オフセットを記憶し得る。
【００８５】
[00100]  送信機モジュール１０２０−ａは、受信機モジュール１０１０−ａとコロケートされ得、また、ＷＷＡＮモジュール１１０５−ｂとＷＬＡＮモジュール１１１０−ｂとを含み得る。ＷＷＡＮモジュール１１０５−ｂはＷＷＡＮ通信のために使用され得る。ＷＬＡＮモジュール１１１０−ｂは、ＷＬＡＮ通信のために使用され得、ＷＷＡＮモジュール１１０５−ｂのＷＷＡＮ通信を支援し得る。
【００８６】
[00101]  図１２は、様々な例による、ワイヤレス通信において使用するためのシステム１２００を示す。システム１２００は、図１、図２、または図３のＵＥ１１５の一例であり得るＵＥ１１５−ｄを含み得る。ＵＥ１１５−ｄは、図１０または図１１のデバイス１００５の１つまたは複数の態様の一例でもあり得る。
【００８７】
[00102]  ＵＥ１１５−ｄは、概して、通信を送信するための構成要素と通信を受信するための構成要素とを含む、双方向音声およびデータ通信のための構成要素を含み得る。ＵＥ１１５−ｄは、アンテナ１２５０と、トランシーバモジュール１２４０と、プロセッサモジュール１２１０と、（ソフトウェア（ＳＷ）１２２５を含む）メモリ１２２０とを含み得、それらは、それぞれ（例えば、１つまたは複数のバス１２０５を介して）直接または間接的に互いに通信し得る。トランシーバモジュール１２４０は、上記で説明されたように、アンテナ１２５０あるいは１つまたは複数のワイヤードもしくはワイヤレスリンクを介して、１つまたは複数のネットワークと双方向に通信するように構成され得る。例えば、トランシーバモジュール１２４０は、図１または図２を参照すると、基地局１０５およびアクセスポイント１１０と双方向に通信するように構成され得る。トランシーバモジュール１２４０は、パケットを変調し、変調されたパケットを送信のためにアンテナ１２５０に与え、アンテナ１２５０から受信されたパケットを復調するように構成されたＷＷＡＮ無線機およびＷＬＡＮ無線機を含み得る。
【００８８】
[00103]  ＵＥ１１５−ｄは、複数のワイヤレス通信を同時に送信または受信することが可能な複数のアンテナ１２５０を有し得る。トランシーバモジュール１２４０は、複数のコンポーネントキャリアおよび／または通信ネットワークを介して１つまたは複数の基地局１０５とコンカレントに通信することが可能であり得る。トランシーバモジュール１２４０はまた、アンテナ１２５０を介して１つまたは複数のアクセスポイント１１０と通信することが可能であり得る。トランシーバモジュール１２４０は、アンテナ１２５０を介して受信されたＷＷＡＮ通信を処理するために、ＷＬＡＮ無線機中の構成要素を使用し得る。トランシーバモジュール１２４０はまた、アンテナ１２５０を介する送信より前に、ＷＷＡＮ通信を処理するために、ＷＬＡＮ無線機中の構成要素を使用し得る。
【００８９】
[00104]  ＵＥ１１５−ｄは、周波数測定モジュール１０１５−ｂを含み得、それは、図１０または図１１のデバイス１００５、あるいは図１、図２、または図３のＵＥ１１５の周波数測定モジュール１０１５のための、上記で説明された機能を行い得る。周波数測定モジュール１０１５−ｂは、トランシーバモジュール１２４０の２つの基準クロック間の周波数オフセットを決定し得る。周波数オフセットは、２つの基準クロック間の異なる周波数または周波数誤差を補償するためにトランシーバモジュール１２４０によって使用され得る。いくつかの例では、周波数測定モジュール１０１５−ｂは、トランシーバモジュール１２４０とコロケートされ得る。
【００９０】
[00105]  メモリ１２２０は、ランダムアクセスメモリ（ＲＡＭ）および読取り専用メモリ（ＲＯＭ）を含み得る。メモリ１２２０は、実行されるとプロセッサモジュール１２１０に本明細書で説明される様々な機能を行わせる（例えば、周波数オフセットを測定させる、データサンプルを補正させるなど）ように構成された命令を含んでいるコンピュータ可読、コンピュータ実行可能ソフトウェア／ファームウェアコード１２２５を記憶し得る。代替的に、コンピュータ可読、コンピュータ実行可能ソフトウェア／ファームウェアコード１２２５は、プロセッサモジュール１２１０によって直接的に実行可能でないことがあるが、（例えば、コンパイルされ、実行されたとき）コンピュータに本明細書で説明される機能を行わせるように構成され得る。プロセッサモジュール１２１０は、インテリジェントハードウェアデバイス、例えば、中央処理ユニット（ＣＰＵ）、マイクロコントローラ、特定用途向け集積回路（ＡＳＩＣ）などを含み得る。
【００９１】
[00106]  図１３は、本開示の様々な態様による、ワイヤレス通信のための方法１３００の一例を示すフローチャートである。明快のために、方法１３００は、図１、図２、図３、または図１２を参照しながら説明されたＵＥ１１５のうちの１つまたは複数の態様、および／あるいは図１０または図１１を参照しながら説明されたデバイス１００５のうちの１つまたは複数の態様に関して以下で説明される。いくつかの例では、ＵＥは、以下で説明される機能を行うようにＵＥの機能要素を制御するためのコードの１つまたは複数のセットを実行し得る。追加または代替として、ＵＥは、使用目的ハードウェア以下で説明される機能のうちの１つまたは複数を行い得る。
【００９２】
[00107]  ブロック１３０５において、方法１３００は、支援モードに関連付けられた１つまたは複数のトリガ係数を識別することを含み得、ここにおいて、第２のＲＡＴに関連付けられた第２の無線機は、第１のＲＡＴに関連付けられた第１の無線機を支援するために使用される。第１のＲＡＴはＷＷＡＮ技術を含み得、第２のＲＡＴはＷＬＡＮ技術を含み得る。
【００９３】
[00108]  ブロック１３０５における動作は、図１０〜図１２を参照しながら説明された周波数測定モジュール１０１５を使用して行われ得る。
【００９４】
[00109]  ブロック１３１０において、方法１３００は、１つまたは複数のトリガ係数に少なくとも部分的に基づいて、第１の無線機の第１のクロックと第２の無線機の第２のクロックとの間の周波数オフセットを測定することを含み得、第１のクロックは第１の発振器水晶に関連付けられ、第２のクロックは第２の発振器水晶に関連付けられる。１つまたは複数のトリガ係数は、第１の無線機または第２の無線機のためのスリープサイクルの長さを含み得、周波数オフセットの測定は、スリープサイクルの長さに少なくとも部分的に基づいて周期的に行われ得る。
【００９５】
[00110]  いくつかの例では、第１の発振器水晶の第１の周波数誤差および第２の発振器水晶の第２の周波数誤差が測定され得る。第１の発振器水晶の第１の周波数誤差および第２の発振器水晶の第２の周波数誤差は、一定の温度で制御された環境において測定され得る。第１の周波数誤差および第２の周波数誤差に少なくとも部分的に基づいて、初期周波数オフセットが決定され得、初期周波数オフセットは記憶され得る。第１のクロックと第２のクロックとの間の周波数オフセットは、次いで、記憶された初期周波数オフセットに少なくとも部分的に基づき得る。
【００９６】
[00111]  ブロック１３１０における動作は、図１０〜図１２を参照しながら説明された周波数測定モジュール１０１５を使用して行われ得る。
【００９７】
[00112]  ブロック１３１５において、方法１３００は、支援モードにある第１の無線機および第２の無線機による使用のために周波数オフセットを記憶することを含み得る。支援モードは、１つまたは複数のトリガ係数に少なくとも部分的に基づいて開始され得る。支援モードを開始することは、第１の無線機から第２の無線機に、支援についての要求を送ることを含み得る。記憶された周波数オフセットは、第１の無線機および第２の無線機が支援モードにある間、収集されたサンプルを補正するために使用され得る。
【００９８】
[00113]  いくつかの例では、第２の無線機は、支援モードにある間、第１の無線機のためのサンプルを収集し得る。第２の無線機は、次いで、周波数オフセットに少なくとも部分的に基づいて、収集されたサンプルを調整し得る。
【００９９】
[00114]  ブロック１３１５における動作は、図１０〜図１２を参照しながら説明された周波数測定モジュール１０１５を使用して行われ得る。
【０１００】
[00115]  従って、方法１３００はワイヤレス通信を提供し得る。方法１３００は一実施例にすぎないこと、および方法１３００の動作は、他の実施例が可能であるように、並べ替えられるかまたは場合によっては変更され得ることに留意されたい。
【０１０１】
[00116]  図１４は、本開示の様々な態様による、ワイヤレス通信のための方法１４００の別の例を示すフローチャートである。明快のために、方法１４００は、図１、図２、図３、または図１２を参照しながら説明されたＵＥ１１５のうちの１つまたは複数の態様、および／あるいは図１０または図１１を参照しながら説明されたデバイス１００５のうちの１つまたは複数の態様に関して以下で説明される。いくつかの例では、ＵＥは、以下で説明される機能を行うようにＵＥの機能要素を制御するためのコードの１つまたは複数のセットを実行し得る。追加または代替として、ＵＥは、使用目的ハードウェア以下で説明される機能のうちの１つまたは複数を行い得る。
【０１０２】
[00117]  ブロック１４０５において、方法１４００は、第１のＲＡＴに関連付けられた第１の無線機が、第２のＲＡＴに関連付けられた第２の無線機とともに支援モードを開始するための予想される時間を識別することを含み得る。
【０１０３】
[00118]  ブロック１４０５における動作は、図１０〜図１２を参照しながら説明された周波数測定モジュール１０１５を使用して行われ得る。
【０１０４】
[00119]  ブロック１４１０において、方法１４００は、予想される時間より前に、第１の無線機の第１のクロックと第２の無線機の第２のクロックとの間の周波数オフセットの測定をトリガすることを含み得、第１のクロックは第１の発振器水晶に関連付けられ、第２のクロックは第２の発振器水晶に関連付けられる。いくつかの例では、予想される時間は、キャリアアグリゲーションモードの１つまたは複数のターゲット周波数のための信号強度測定値に少なくとも部分的に基づいて決定され得る。他の例では、予想される時間は、複数アクティブＳＩＭモードにおけるＳＩＭのための受信されたページに少なくとも部分的に基づいて決定され得る。他の例では、予想される時間は、サービングセル測定値に少なくとも部分的に基づいて決定され得る。サービングセル測定値は、ＵＥがサービングセルから遠ざかっていることを示し得る。
【０１０５】
[00120]  ブロック１４１０における動作は、図１０〜図１２を参照しながら説明された周波数測定モジュール１０１５を使用して行われ得る。
【０１０６】
[00121]  ブロック１４１５において、方法１４００は、支援モードにある第１の無線機および第２の無線機による使用のために周波数オフセットを記憶することを含み得る。記憶された周波数オフセットは、第１の無線機および第２の無線機が支援モードにある間、収集されたサンプルを補正するために使用され得る。ブロック１４１５における動作は、図１０〜図１２を参照しながら説明された周波数測定モジュール１０１５を使用して行われ得る。
【０１０７】
[00122]  従って、方法１４００はワイヤレス通信を提供し得る。方法１４００は一実施例にすぎないこと、および方法１４００の動作は、他の実施例が可能であるように、並べ替えられるかまたは場合によっては変更され得ることに留意されたい。
【０１０８】
[00123]  図１５は、本開示の様々な態様による、ワイヤレス通信のための方法１５００のまた別の例を示すフローチャートである。明快のために、方法１５００は、図１、図２、図３、または図１２を参照しながら説明されたＵＥ１１５のうちの１つまたは複数の態様、および／あるいは図１０または図１１を参照しながら説明されたデバイス１００５のうちの１つまたは複数の態様に関して以下で説明される。いくつかの例では、ＵＥは、以下で説明される機能を行うようにＵＥの機能要素を制御するためのコードの１つまたは複数のセットを実行し得る。追加または代替として、ＵＥは、使用目的ハードウェア以下で説明される機能のうちの１つまたは複数を行い得る。
【０１０９】
[00124]  ブロック１５０５において、方法１５００は、支援モードに関連付けられた１つまたは複数のトリガ係数を識別することを含み得、ここにおいて、第２のＲＡＴに関連付けられた第２の無線機は、第１のＲＡＴに関連付けられた第１の無線機を支援するために使用される。
【０１１０】
[00125]  ブロック１５０５における動作は、図１０〜図１２を参照しながら説明された周波数測定モジュール１０１５を使用して行われ得る。
【０１１１】
[00126]  ブロック１５１０において、方法１５００は、１つまたは複数のトリガ係数と前に記憶された周波数オフセットとに少なくとも部分的に基づいて、第１の無線機の第１のクロックと第２の無線機の第２のクロックとの間の周波数オフセットを測定することを含み得、第１のクロックは第１の発振器水晶に関連付けられ、第２のクロックは第２の発振器水晶に関連付けられる。
【０１１２】
[00127]  ブロック１５１０における動作は、図１０〜図１２を参照しながら説明された周波数測定モジュール１０１５を使用して行われ得る。
【０１１３】
[00128]  ブロック１５１５において、方法１５００は、第１の無線機または第２の無線機のスリープ持続時間を決定することを含み得る。ブロック１５１５における動作は、図１０〜図１２を参照しながら説明された周波数測定モジュール１０１５を使用して行われ得る。
【０１１４】
[00129]  ブロック１５２０において、方法１５００は、スリープ持続時間に少なくとも部分的に基づいて、前に記憶された周波数オフセットを調整することを含み得る。ブロック１５２０における動作は、図１０〜図１２を参照しながら説明された周波数測定モジュール１０１５を使用して行われ得る。
【０１１５】
[00130]  ブロック１５２５において、方法１５００は、支援モードにある第１の無線機および第２の無線機による使用のために周波数オフセットを記憶することを含み得る。記憶された周波数オフセットは、第１の無線機および第２の無線機が支援モードにある間、収集されたサンプルを補正するために使用され得る。ブロック１５２５における動作は、図１０〜図１２を参照しながら説明された周波数測定モジュール１０１５を使用して行われ得る。
【０１１６】
[00131]  従って、方法１５００はワイヤレス通信を提供し得る。方法１５００は一実施例にすぎないこと、および方法１５００の動作は、他の実施例が可能であるように、並べ替えられるかまたは場合によっては変更され得ることに留意されたい。
【０１１７】
[00132]  図１６は、本開示の様々な態様による、ワイヤレス通信のための方法１６００のさらに別の例を示すフローチャートである。明快のために、方法１６００は、図１、図２、図３、または図１２を参照しながら説明されたＵＥ１１５のうちの１つまたは複数の態様、および／あるいは図１０または図１１を参照しながら説明されたデバイス１００５のうちの１つまたは複数の態様に関して以下で説明される。いくつかの例では、ＵＥは、以下で説明される機能を行うようにＵＥの機能要素を制御するためのコードの１つまたは複数のセットを実行し得る。追加または代替として、ＵＥは、使用目的ハードウェア以下で説明される機能のうちの１つまたは複数を行い得る。
【０１１８】
[00133]  ブロック１６０５において、方法１６００は、支援モードに関連付けられた１つまたは複数のトリガ係数を識別することを含み得、ここにおいて、第２のＲＡＴに関連付けられた第２の無線機は、第１のＲＡＴに関連付けられた第１の無線機を支援するために使用される。
【０１１９】
[00134]  ブロック１６０５における動作は、図１０〜図１２を参照しながら説明された周波数測定モジュール１０１５を使用して行われ得る。
【０１２０】
[00135]  ブロック１６１０において、方法１６００は、１つまたは複数のトリガ係数と第１のクロックのラッチング間隔とに少なくとも部分的に基づいて、第１の無線機の第１のクロックと第２の無線機の第２のクロックとの間の周波数オフセットを測定することを含み得、第１のクロックは第１の発振器水晶に関連付けられ、第２のクロックは第２の発振器水晶に関連付けられる。次いで、第１のクロックのラッチング間隔中に生じる第２のクロックのサイクルの数がカウントされ得る。
【０１２１】
[00136]  ブロック１６１０における動作は、図１０〜図１２を参照しながら説明された周波数測定モジュール１０１５を使用して行われ得る。
【０１２２】
[00137]  ブロック１６１５において、方法１６００は、第２の無線機のアクティブ時間に少なくとも部分的に基づいて、第１のクロックのラッチング間隔を調整することを含み得る。いくつかの例では、第１のクロックのラッチング間隔は、第２の無線機の低アクティブ時間に少なくとも部分的に基づいて減少させられ得る。いくつかの例では、第１のクロックのラッチング間隔は、第２の無線機の高アクティブ時間に少なくとも部分的に基づいて増加させられ得る。
【０１２３】
[00138]  ブロック１６１５における動作は、図１０〜図１２を参照しながら説明された周波数測定モジュール１０１５を使用して行われ得る。
【０１２４】
[00139]  ブロック１６２０において、方法１６００は、支援モードにある第１の無線機および第２の無線機による使用のために周波数オフセットを記憶することを含み得る。記憶された周波数オフセットは、第１の無線機および第２の無線機が支援モードにある間、収集されたサンプルを補正するために使用され得る。ブロック１６２０における動作は、図１０〜図１２を参照しながら説明された周波数測定モジュール１０１５を使用して行われ得る。
【０１２５】
[00140]  従って、方法１６００はワイヤレス通信を提供し得る。方法１６００は一実施例にすぎないこと、および方法１６００の動作は、他の実施例が可能であるように、並べ替えられるかまたは場合によっては変更され得ることに留意されたい。
【０１２６】
[00141]  いくつかの例では、方法１３００、１４００、１５００、または１６００のうちの２つまたはそれ以上からの態様が組み合わせられ得る。方法１３００、１４００、１５００、および１６００は例示的な実施例にすぎないこと、ならびに方法１３００、１４００、１５００、および１６００の動作は、他の実施例が可能であるように、並べ替えられるかまたは場合によっては変更され得ることに留意されたい。
【０１２７】
[00142]  添付の図面に関して上記に記載された詳細な説明は、例について説明しており、実施され得るまたは特許請求の範囲内に入る例のみを表すものではない。「例」および「例示的」という語は、この説明で使用されるとき、「例、事例、または例示の働きをすること」を意味し、「好ましい」または「他の例よりも有利な」を意味しない。詳細な説明は、説明される技法の理解を与えるための具体的な詳細を含む。ただし、これらの技法は、これらの具体的な詳細なしに実施され得る。いくつかの事例では、説明された例の概念を不明瞭にすることを回避するために、よく知られている構造および装置がブロック図の形式で示されている。
【０１２８】
[00143]  情報および信号は、多種多様な技術および技法のいずれかを使用して表され得る。例えば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１２９】
[00144]  本明細書の開示に関して説明された様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明された機能を行うように設計されたそれらの任意の組合せを用いて実施または行われ得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、例えば、ＤＳＰとマイクロプロセッサとの組合せ、複数のマイクロプロセッサ、ＤＳＰコアと連携する１つまたは複数のマイクロプロセッサ、または任意の他のそのような構成としても実施され得る。
【０１３０】
[00145]  本明細書で説明された機能は、ハードウェア、プロセッサによって実行されるソフトウェア、ファームウェア、またはそれらの組合せで実施され得る。プロセッサによって実行されるソフトウェアで実施される場合、機能は、１つまたは複数の命令またはコードとして、コンピュータ可読媒体上に記憶されるか、またはコンピュータ可読媒体を介して送信され得る。他の例および実施例は、本開示および添付の特許請求の範囲および趣旨内に入る。例えば、ソフトウェアの性質により、上記で説明された機能は、プロセッサ、ハードウェア、ファームウェア、ハードワイヤリング、またはこれらのうちのいずれかの組合せによって実行されるソフトウェアを使用して実施され得る。機能を実施する特徴はまた、機能の部分が、異なる物理ロケーションにおいて実施されるように分散されることを含めて、様々な位置に物理的に配置され得る。特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。例えば、組成が構成要素Ａ、Ｂ、および／またはＣを含んでいるものとして表される場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（例えば、「のうちの少なくとも１つ」あるいは「のうちの１つまたは複数」などの句で終わる項目の列挙）中で使用される「または」は、例えば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１３１】
[00146]  コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。例えば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せも、コンピュータ可読媒体の範囲内に含まれる。
【０１３２】
[00147]  本開示についての以上の説明は、当業者が本開示を作成または使用できるように与えられたものである。本開示への様々な変更は当業者には容易に明らかとなり、本明細書で定義された一般原理は、本開示の範囲から逸脱することなく他の変形形態に適用され得る。従って、本開示は、本明細書で説明された例および設計に限定されるべきでなく、本明細書で開示された原理および新規の特徴に合致する最も広い範囲を与えられるべきである。
以下に本願発明の当初の特許請求の範囲に記載された発明を付記する。
［Ｃ１］ユーザ機器（ＵＥ）によるワイヤレス通信のための方法であって、支援モードに関連付けられた１つまたは複数のトリガ係数を識別することと、ここにおいて、第２の無線アクセス技術（ＲＡＴ）に関連付けられた第２の無線機が、第１のＲＡＴに関連付けられた第１の無線機を支援するために使用される、前記１つまたは複数のトリガ係数に少なくとも部分的に基づいて、前記第１の無線機の第１のクロックと前記第２の無線機の第２のクロックとの間の周波数オフセットを測定することと、前記第１のクロックが第１の発振器水晶に関連付けられ、前記第２のクロックが第２の発振器水晶に関連付けられる、前記支援モードにある前記第１の無線機および前記第２の無線機による使用のために前記周波数オフセットを記憶することとを備える、方法。
［Ｃ２］前記１つまたは複数のトリガ係数に少なくとも部分的に基づいて、前記第１の無線機および前記第２の無線機の前記支援モードを開始することをさらに備える、Ｃ１に記載の方法。
［Ｃ３］前記支援モードを開始することが、前記第１の無線機から前記第２の無線機に、支援についての要求を送ることを備える、Ｃ２に記載の方法。
［Ｃ４］前記第１のＲＡＴがワイヤレスワイドエリアネットワーク（ＷＷＡＮ）技術を備え、前記第２のＲＡＴがワイヤレスローカルエリアネットワーク（ＷＬＡＮ）技術を備える、Ｃ１に記載の方法。
［Ｃ５］前記１つまたは複数のトリガ係数が、前記第１の無線機または前記第２の無線機のためのスリープサイクルの長さを備え、前記方法が、前記スリープサイクルの前記長さに少なくとも部分的に基づいて、前記周波数オフセットの前記測定を周期的にトリガすることをさらに備える、Ｃ１に記載の方法。
［Ｃ６］前記１つまたは複数のトリガ係数は、前記第１の無線機が前記第２の無線機とともに前記支援モードを開始するための予想される時間を備え、前記方法が、前記予想される時間より前に、前記周波数オフセットの前記測定をトリガすることをさらに備える、Ｃ１に記載の方法。
［Ｃ７］キャリアアグリゲーションモードの１つまたは複数のターゲット周波数のための信号強度測定値に少なくとも部分的に基づいて、前記予想される時間を決定することをさらに備える、Ｃ６に記載の方法。
［Ｃ８］複数アクティブ加入者識別モジュール（ＳＩＭ）モードにおけるＳＩＭのための受信されたページに少なくとも部分的に基づいて、前記予想される時間を決定することをさらに備える、Ｃ６に記載の方法。
［Ｃ９］サービングセル測定値に少なくとも部分的に基づいて、前記予想される時間を決定することをさらに備える、Ｃ６に記載の方法。
［Ｃ１０］前記サービングセル測定値は、前記ＵＥが前記サービングセルから遠ざかっていることを示す、Ｃ９に記載の方法。
［Ｃ１１］前に記憶された周波数オフセットに少なくとも部分的に基づいて、前記第１のクロックと前記第２のクロックとの間の前記周波数オフセットを測定することをさらに備える、Ｃ１に記載の方法。
［Ｃ１２］前記周波数オフセットを測定することが、前記第１の無線機または前記第２の無線機のスリープ持続時間を決定することと、前記スリープ持続時間に少なくとも部分的に基づいて、前記前に記憶された周波数オフセットを調整することとをさらに備える、Ｃ１１に記載の方法。
［Ｃ１３］前記第１のクロックのラッチング間隔に少なくとも部分的に基づいて、前記第１のクロックと前記第２のクロックとの間の前記周波数オフセットを測定することをさらに備える、Ｃ１に記載の方法。
［Ｃ１４］前記第１のクロックの前記ラッチング間隔中に生じる前記第２のクロックのサイクルの数をカウントすることをさらに備える、Ｃ１３に記載の方法。
［Ｃ１５］前記第２の無線機のアクティブ時間に少なくとも部分的に基づいて、前記第１のクロックの前記ラッチング間隔を調整することをさらに備える、Ｃ１３に記載の方法。
［Ｃ１６］前記第２の無線機の低アクティブ時間に少なくとも部分的に基づいて、前記第１のクロックの前記ラッチング間隔を減少させることをさらに備える、Ｃ１５に記載の方法。
［Ｃ１７］前記第２の無線機の高アクティブ時間に少なくとも部分的に基づいて、前記第１のクロックの前記ラッチング間隔を増加させることをさらに備える、Ｃ１５に記載の方法。
［Ｃ１８］前記第１の発振器水晶の第１の周波数誤差を測定することと、前記第２の発振器水晶の第２の周波数誤差を測定することと、前記第１の周波数誤差および前記第２の周波数誤差に少なくとも部分的に基づいて、初期周波数オフセットを決定することと、前記初期周波数オフセットを記憶することと、ここにおいて、前記第１のクロックと前記第２のクロックとの間の前記周波数オフセットが、前記記憶された初期周波数オフセットに少なくとも部分的に基づく、をさらに備える、Ｃ１に記載の方法。
［Ｃ１９］一定の温度で制御された環境において、前記第１の発振器水晶の前記第１の周波数誤差および前記第２の発振器水晶の前記第２の周波数誤差を測定することをさらに備える、Ｃ１８に記載の方法。
［Ｃ２０］前記支援モードにある前記第２の無線機によってサンプルを収集することと、前記周波数オフセットに少なくとも部分的に基づいて、前記収集されたサンプルを調整することとをさらに備える、Ｃ１に記載の方法。
［Ｃ２１］ワイヤレス通信のための装置であって、支援モードに関連付けられた１つまたは複数のトリガ係数を識別するための手段と、ここにおいて、第２の無線アクセス技術（ＲＡＴ）に関連付けられた第２の無線機が、第１のＲＡＴに関連付けられた第１の無線機を支援するために使用される、前記１つまたは複数のトリガ係数に少なくとも部分的に基づいて、前記第１の無線機の第１のクロックと前記第２の無線機の第２のクロックとの間の周波数オフセットを測定するための手段と、前記第１のクロックが第１の発振器水晶に関連付けられ、前記第２のクロックが第２の発振器水晶に関連付けられる、前記支援モードにある前記第１の無線機および前記第２の無線機による使用のために前記周波数オフセットを記憶するための手段とを備える、装置。
［Ｃ２２］前記１つまたは複数のトリガ係数に少なくとも部分的に基づいて、前記第１の無線機および前記第２の無線機の前記支援モードを開始するための手段をさらに備える、Ｃ２１に記載の装置。
［Ｃ２３］前記支援モードを開始するための前記手段が、前記第１の無線機から前記第２の無線機に、支援についての要求を送るための手段を備える、Ｃ２２に記載の装置。
［Ｃ２４］前記第１のＲＡＴがワイヤレスワイドエリアネットワーク（ＷＷＡＮ）技術を備え、前記第２のＲＡＴがワイヤレスローカルエリアネットワーク（ＷＬＡＮ）技術を備える、Ｃ２１に記載の装置。
［Ｃ２５］前記１つまたは複数のトリガ係数が、前記第１の無線機または前記第２の無線機のためのスリープサイクルの長さを備え、前記装置が、前記スリープサイクルの前記長さに少なくとも部分的に基づいて、前記周波数オフセットの前記測定を周期的にトリガするための手段をさらに備える、Ｃ２１に記載の装置。
［Ｃ２６］前記１つまたは複数のトリガ係数は、前記第１の無線機が前記第２の無線機とともに前記支援モードを開始するための予想される時間を備え、前記装置が、前記予想される時間より前に、前記周波数オフセットの前記測定をトリガするための手段をさらに備える、Ｃ２１に記載の装置。
［Ｃ２７］キャリアアグリゲーションモードの１つまたは複数のターゲット周波数のための信号強度測定値に少なくとも部分的に基づいて、前記予想される時間を決定するための手段をさらに備える、Ｃ２６に記載の装置。
［Ｃ２８］複数アクティブ加入者識別モジュール（ＳＩＭ）モードにおけるＳＩＭのための受信されたページに少なくとも部分的に基づいて、前記予想される時間を決定するための手段をさらに備える、Ｃ２６に記載の装置。
［Ｃ２９］サービングセル測定値に少なくとも部分的に基づいて、前記予想される時間を決定するための手段をさらに備える、Ｃ２６に記載の装置。
［Ｃ３０］前記サービングセル測定値は、前記ＵＥが前記サービングセルから遠ざかっていることを示す、Ｃ２９に記載の装置。
［Ｃ３１］前に記憶された周波数オフセットに少なくとも部分的に基づいて、前記第１のクロックと前記第２のクロックとの間の前記周波数オフセットを測定するための手段をさらに備える、Ｃ２１に記載の装置。
［Ｃ３２］前記周波数オフセットを測定するための前記手段が、前記第１の無線機または前記第２の無線機のスリープ持続時間を決定するための手段と、前記スリープ持続時間に少なくとも部分的に基づいて、前記前に記憶された周波数オフセットを調整するための手段とをさらに備える、Ｃ３１に記載の装置。
［Ｃ３３］前記第１のクロックのラッチング間隔に少なくとも部分的に基づいて、前記第１のクロックと前記第２のクロックとの間の前記周波数オフセットを測定するための手段をさらに備える、Ｃ２１に記載の装置。
［Ｃ３４］前記第１のクロックの前記ラッチング間隔中に生じる前記第２のクロックのサイクルの数をカウントするための手段をさらに備える、Ｃ３３に記載の装置。
［Ｃ３５］前記第２の無線機のアクティブ時間に少なくとも部分的に基づいて、前記第１のクロックの前記ラッチング間隔を調整するための手段をさらに備える、Ｃ３３に記載の装置。
［Ｃ３６］前記第２の無線機の低アクティブ時間に少なくとも部分的に基づいて、前記第１のクロックの前記ラッチング間隔を減少させるための手段をさらに備える、Ｃ３５に記載の装置。
［Ｃ３７］前記第２の無線機の高アクティブ時間に少なくとも部分的に基づいて、前記第１のクロックの前記ラッチング間隔を増加させるための手段をさらに備える、Ｃ３５に記載の装置。
［Ｃ３８］前記第１の発振器水晶の第１の周波数誤差を測定するための手段と、前記第２の発振器水晶の第２の周波数誤差を測定するための手段と、前記第１の周波数誤差および前記第２の周波数誤差に少なくとも部分的に基づいて、初期周波数オフセットを決定するための手段と、前記初期周波数オフセットを記憶するための手段と、ここにおいて、前記第１のクロックと前記第２のクロックとの間の前記周波数オフセットが、前記記憶された初期周波数オフセットに少なくとも部分的に基づく、をさらに備える、Ｃ２１に記載の装置。
［Ｃ３９］一定の温度で制御された環境において、前記第１の発振器水晶の前記第１の周波数誤差および前記第２の発振器水晶の前記第２の周波数誤差を測定するための手段をさらに備える、Ｃ３８に記載の装置。
［Ｃ４０］ワイヤレス通信のための装置であって、プロセッサと、前記プロセッサと電子通信しているメモリと、前記メモリに記憶された命令とを備え、前記命令は、支援モードに関連付けられた１つまたは複数のトリガ係数を識別することと、ここにおいて、第２の無線アクセス技術（ＲＡＴ）に関連付けられた第２の無線機が、第１のＲＡＴに関連付けられた第１の無線機を支援するために使用される、前記１つまたは複数のトリガ係数に少なくとも部分的に基づいて、前記第１の無線機の第１のクロックと前記第２の無線機の第２のクロックとの間の周波数オフセットを測定することと、前記第１のクロックが第１の発振器水晶に関連付けられ、前記第２のクロックが第２の発振器水晶に関連付けられる、前記支援モードにある前記第１の無線機および前記第２の無線機による使用のために前記周波数オフセットを記憶することとを行うために前記プロセッサによって実行可能である、装置。
［Ｃ４１］前記１つまたは複数のトリガ係数は、前記第１の無線機が前記第２の無線機とともに前記支援モードを開始するための予想される時間を備え、前記命令が、前記予想される時間より前に、前記周波数オフセットの前記測定をトリガすることを行うために前記プロセッサによってさらに実行可能である、Ｃ４０に記載の装置。
［Ｃ４２］前記命令が、前に記憶された周波数オフセットに少なくとも部分的に基づいて、前記第１のクロックと前記第２のクロックとの間の前記周波数オフセットを測定することを行うために前記プロセッサによってさらに実行可能である、Ｃ４０に記載の装置。
［Ｃ４３］ワイヤレス通信のためのコンピュータ実行可能コードを記憶する非一時的コンピュータ可読媒体であって、前記コードは、支援モードに関連付けられた１つまたは複数のトリガ係数を識別することと、ここにおいて、第２の無線アクセス技術（ＲＡＴ）に関連付けられた第２の無線機が、第１のＲＡＴに関連付けられた第１の無線機を支援するために使用される、前記１つまたは複数のトリガ係数に少なくとも部分的に基づいて、前記第１の無線機の第１のクロックと前記第２の無線機の第２のクロックとの間の周波数オフセットを測定することと、前記第１のクロックが第１の発振器水晶に関連付けられ、前記第２のクロックが第２の発振器水晶に関連付けられる、前記支援モードにある前記第１の無線機および前記第２の無線機による使用のために前記周波数オフセットを記憶することとを行うためにプロセッサによって実行可能である、非一時的コンピュータ可読媒体。
【図１】
0006392459.tif 000002
【図２】
0006392459.tif 000003
【図３】
0006392459.tif 000004
【図４】
0006392459.tif 000005
【図５】
0006392459.tif 000006
【図６】
0006392459.tif 000007
【図７】
0006392459.tif 000008
【図８】
0006392459.tif 000009
【図９】
0006392459.tif 000010
【図１０】
0006392459.tif 000011
【図１１】
0006392459.tif 000012
【図１２】
0006392459.tif 000013
【図１３】
0006392459.tif 000014
【図１４】
0006392459.tif 000015
【図１５】
0006392459.tif 000016
【図１６】
0006392459.tif 000017